(57)【要約】【課題】  本発明の課題は、従来よりも高効率に臭気の元となる菌やウィルスなどを分解除去することができる空気調和機を提供することにある。【解決手段】  空気調和機１，３０１は、樹脂部２４，２５１，２５２，２５３，３０７および光触媒機能を有するアパタイトを備える。樹脂部は、空気配送路を構成する。そして、光触媒機能を有するアパタイトは、樹脂部の少なくとも一部に設けられる。【選択図】      図３
2005326137.tif 000002
【特許請求の範囲】
【請求項１】
屋内に空気を配送するための空気配送路を構成する樹脂部（２４，２５１，２５２，２５３，３０７）と、
前記樹脂部（２４，２５１，２５２，２５３，３０７）の少なくとも一部に設けられる光触媒機能を有するアパタイトと、
を備える、空気調和機（１，３０１）。
【請求項２】
前記空気を前記屋内に供給するための羽根車（２１）をさらに備え、
前記樹脂部は、前記羽根車（２１）が回転することにより発生する前記空気の流れを収束させるスクロール部（２４）である、
請求項１に記載の空気調和機（１）。
【請求項３】
前記樹脂部は、前記屋内への前記空気の流れ方向を調節するフラップ（２５３）である、
請求項１または２に記載の空気調和機（１）。
【請求項４】
前記空気を加湿する加湿ユニット（３０４）と、
前記屋内に配置される室内ユニット（３０２）と、
をさらに備え、
前記空気配送路は、前記加湿ユニット（３０４）により加湿された前記空気を前記室内ユニットに供給するための加湿空気配送路である、
請求項１から３のいずれかに記載の空気調和機（３０１）。
【請求項５】
屋内に空気を配送するための空気配送路に配置される樹脂部（２９ａ，２９ｂ，２１，３０４）と、
前記樹脂部（２９ａ，２９ｂ，２１，３０４）の少なくとも一部に設けられる光触媒機能を有するアパタイトと、
を備える、空気調和機（１，３０１）。
【請求項６】
前記樹脂部は、前記空気を前記屋内に供給するための羽根車（２１）である、
請求項５に記載の空気調和機（１）。
【請求項７】
前記空気を冷却するための冷却部（２０）をさらに備え、
前記樹脂部は、前記冷却部（２０）により結露した水を受けるドレンパン（２９ａ，２９ｂ）である、
請求項５または６に記載の空気調和機（１）。
【請求項８】
前記樹脂部は、前記空気を加湿する加湿ユニット（３０４）である、
請求項５から７のいずれかに記載の空気調和機（３０１）。
【請求項９】
前記光触媒機能を有するアパタイトは、前記樹脂部（２４，２９ａ，２９ｂ，２１，２５１，２５２，２５３，３０４，３０７）に配合されている、
請求項１から８のいずれかに記載の空気調和機（１，３０１）。
【請求項１０】
前記樹脂部（２４，２９ａ，２９ｂ，２１，２５１，２５２，２５３，３０４，３０７）は、前記光触媒機能を有するアパタイトが設けられる部分が粗面加工されている、
請求項１から９のいずれかに記載の空気調和機（１，３０１）。
【請求項１１】
屋内に空気を配送するための空気配送路を形成する空気配送路形成部材であって、
樹脂から成形されており、
前記空気配送路に流れる前記空気と接触するように設けられる光触媒機能を有するアパタイトを備える、
空気配送路形成部材。
【請求項１２】
屋内に空気を配送するための空気配送路を形成する空気配送路形成部材であって、
前記空気配送路の少なくとも一部を覆うように設けられる樹脂層と、
前記樹脂層の少なくとも一部に設けられる光触媒機能を有するアパタイトと、
を備える、空気配送路形成部材。
【発明の詳細な説明】
【技術分野】
【０００１】
本発明は、空気を調和するための空気調和機に関する。
【背景技術】
【０００２】
従来、空気調和機の室内機の空気吸い込み部、エアフィルタ、熱交換器、スクロール、ファン、および空気吹き出し口などの表面に光半導体触媒層を設け、室内機内部で臭気の元となる菌やウィルスなどを分解除去する技術がある（例えば、特許文献１参照）。
【特許文献１】特開平９−１９６３９９号公報
【発明の開示】
【発明が解決しようとする課題】
【０００３】
本発明の課題は、従来よりも高効率に臭気の元となる菌やウィルスなどを分解除去することができる空気調和機を提供することにある。
【課題を解決するための手段】
【０００４】
第１発明に係る空気調和機は、樹脂部および光触媒機能を有するアパタイトを備える。樹脂部は、空気配送路を構成する。なお、ここにいう「空気調和機」には、エアコン、除湿機、加湿機、酸素富化機、全熱交換器、空気ダクトシステム等が含まれる。また、空気配送路は、屋内に空気を配送するための通路である。また、ここにいう「樹脂部」とは、例えば、スクロール部、フラップ、加湿空気供給ホース、酸素富化空気供給ホース、全熱交換器の給気管や排気管、および空気ダクトなどである。そして、光触媒機能を有するアパタイトは、樹脂部の少なくとも一部に設けられる。なお、ここにいう「光触媒機能を有するアパタイト」とは、例えば、カルシウムヒドロキシアパタイトの一部のカルシウム原子がイオン交換などの手法によってチタン原子に置換されたアパタイトなどである。また、この光触媒機能を有するアパタイトは、樹脂部に配合されていてもよいし樹脂表面にコーティングされていてもよい。
【０００５】
通常、二酸化チタンなどに代表される光半導体触媒は、菌やウィルスなどを積極的に捕集する能力に劣る。これに対して、この光触媒機能を有するアパタイトは、菌やウィルスなどを強力に吸着することによって、それらの増殖を阻止ないし抑制し得る。そして、このアパタイトに紫外線などの所定の波長領域の光が照射されれば、その菌やウィルスなどが分解除去される。
【０００６】
ここでは、光触媒機能を有するアパタイトが、樹脂部の少なくとも一部に設けられる。このため、この空気調和機では、従来の光半導体触媒を担持した空気調和機よりも高効率に臭気の元となる菌やウィルスなどを分解除去することができる。
【０００７】
第２発明に係る空気調和機は、第１発明に係る空気調和機であって、羽根車をさらに備える。羽根車は、空気を屋内に供給するための部材である。樹脂部は、スクロール部である。スクロール部は、羽根車が回転することにより発生する空気の流れを収束させる。
【０００８】
ここでは、樹脂部が、スクロール部である。このため、この空気調和機では、スクロール部を清潔に保つことができる。
【０００９】
第３発明に係る空気調和機は、第１発明または第２発明に係る空気調和機であって、樹脂部は、フラップである。フラップは、屋内への空気の流れ方向を調節する。
【００１０】
ここでは、樹脂部が、フラップである。このため、この空気調和機では、フラップを清潔に保つことができる。
【００１１】
第４発明に係る空気調和機は、第１発明から第３発明のいずれかに係る空気調和機であって、加湿ユニットおよび室内ユニットをさらに備える。加湿ユニットは、空気を加湿する。室内ユニットは、屋内に配置される。そして、空気配送路は、加湿空気配送路である。加湿空気配送路は、加湿ユニットにより加湿された空気を室内ユニットに供給するための配送路である。
【００１２】
ここでは、樹脂部が、加湿空気配送路を構成する。つまり、ここにいう「樹脂部」とは、加湿ホースや加湿ダクトなどである。このため、この空気調和機では、加湿ホースや加湿ダクトなどを清潔に保つことができる。
【００１３】
第５発明に係る空気調和機は、樹脂部および光触媒機能を有するアパタイトを備える。樹脂部は、空気配送路に配置される。なお、空気配送路は、屋内に空気を配送するための通路である。また、ここにいう「樹脂部」とは、例えば、ファン、ドレンパン、および加湿ユニットの構成部品などである。そして、光触媒機能を有するアパタイトは、樹脂部の少なくとも一部に設けられる。
【００１４】
通常、二酸化チタンなどに代表される光半導体触媒は、菌やウィルスなどを積極的に捕集する能力に劣る。これに対して、この光触媒機能を有するアパタイトは、菌やウィルスなどを強力に吸着することによって、それらの増殖を阻止ないし抑制し得る。そして、このアパタイトに紫外線などの所定の波長領域の光が照射されれば、その菌やウィルスなどが分解除去される。
【００１５】
ここでは、光触媒機能を有するアパタイトが、樹脂部の少なくとも一部に設けられる。このため、この空気調和機では、従来の光半導体触媒を担持した空気調和機よりも高効率に臭気の元となる菌やウィルスなどを分解除去することができる。
【００１６】
第６発明に係る空気調和機は、第５発明に係る空気調和機であって、樹脂部は、羽根車である。なお、羽根車は、空気を屋内に供給するための部材である。
【００１７】
ここでは、樹脂部が、羽根車である。このため、この空気調和機では、羽根車を清潔に保つことができる。
【００１８】
第７発明に係る空気調和機は、第５発明または第６発明に係る空気調和機であって、冷却部をさらに備える。冷却部は、空気を冷却するための部材である。なお、ここにいう「冷却部」とは、熱交換器（蒸発器）などである。そして、樹脂部は、ドレンパンである。ドレンパンは、冷却部により結露した水を受ける。
【００１９】
ここでは、樹脂部が、ドレンパンである。このため、この空気調和機では、ドレンパンを清潔に保つことができる。
【００２０】
第８発明に係る空気調和機は、第５発明から第７発明のいずれかに係る空気調和機であって、樹脂部は、加湿ユニットである。加湿ユニットは、空気を加湿する。
【００２１】
ここでは、樹脂部が、加湿ユニットである。このため、この空気調和機では、加湿ユニットを清潔に保つことができる。
【００２２】
第９発明に係る空気調和機は、第１発明から第８発明のいずれかに係る空気調和機であって、光触媒機能を有するアパタイトは、樹脂部に配合されている。
【００２３】
ここでは、光触媒機能を有するアパタイトが、樹脂部に配合されている。このため、樹脂部の製造方法をほとんど変更にすることなく清浄機能を有する樹脂部を製造することができる。また、二酸化チタンなどの光半導体触媒は活性時に樹脂を浸食するため樹脂に配合される場合には特殊なバインダを必要としたが、光触媒機能を有するアパタイトは、菌やウィルスなどに対して二酸化チタンよりも高い分解能力を示すにもかかわらず、活性時に樹脂をほとんど浸食しない。このため、特殊なバインダを必要としない。したがって、より低コストで清浄機能を有する樹脂部を製造することができる。
【００２４】
第１０発明に係る空気調和機は、第１発明から第９発明のいずれかに係る空気調和機であって、樹脂部は、光触媒機能を有するアパタイトが設けられる部分が粗面加工されている。
【００２５】
ここでは、樹脂部が、光触媒機能を有するアパタイトが設けられる部分が粗面加工されている。このため、樹脂部の表面により多くの光触媒機能を有するアパタイトを設けることができる。したがって、この空気調和機では、さらに高効率に臭気の元となる菌やウィルスなどを分解除去することができる。
【００２６】
第１１発明に係る空気配送路形成部材は、屋内に空気を配送するための空気配送路を形成する空気配送路形成部材であって、樹脂から成形されている。なお、ここにいう「空気配送路形成部材」とは、例えば、加湿空気供給ホース、酸素富化空気供給ホース、全熱交換器の給気管や排気管、および空気ダクトなどである。そして、この空気配送路形成部材は、光触媒機能を有するアパタイトを備える。なお、この光触媒機能を有するアパタイトは、空気配送路に流れる空気と接触するように設けられる。また、ここにいう「光触媒機能を有するアパタイト」とは、例えば、カルシウムヒドロキシアパタイトの一部のカルシウム原子がイオン交換などの手法によってチタン原子に置換されたアパタイトなどである。また、この光触媒機能を有するアパタイトは、空気配送路形成部材そのものに配合されていてもよいし空気配送路形成部材の内表面にコーティングされていてもよい。
【００２７】
通常、二酸化チタンなどに代表される光半導体触媒は、菌やウィルスなどを積極的に捕集する能力に劣る。これに対して、この光触媒機能を有するアパタイトは、菌やウィルスなどを強力に吸着することによって、それらの増殖を阻止ないし抑制し得る。そして、このアパタイトに紫外線などの所定の波長領域の光が照射されれば、その菌やウィルスなどが分解除去される。
【００２８】
ここでは、空気配送路形成部材は、樹脂から成形されている。そして、光触媒機能を有するアパタイトが、空気配送路に流れる空気と接触するように設けられる。このため、この空気配送路形成部材では、従来の光半導体触媒を担持した空気配送路形成部材よりも高効率に臭気の元となる菌やウィルスなどを分解除去することができる。
【００２９】
第１２発明に係る空気配送路形成部材は、屋内に空気を配送するための空気配送路を形成する空気配送路形成部材であって、樹脂層および光触媒機能を有するアパタイトを備える。樹脂層は、空気配送路の少なくとも一部を覆うように設けられる。光触媒機能を有するアパタイトは、樹脂層の少なくとも一部に設けられる。
【００３０】
通常、二酸化チタンなどに代表される光半導体触媒は、菌やウィルスなどを積極的に捕集する能力に劣る。これに対して、この光触媒機能を有するアパタイトは、菌やウィルスなどを強力に吸着することによって、それらの増殖を阻止ないし抑制し得る。そして、このアパタイトに紫外線などの所定の波長領域の光が照射されれば、その菌やウィルスなどが分解除去される。
【００３１】
ここでは、樹脂層が、空気配送路の少なくとも一部を覆うように設けられる。そして、光触媒機能を有するアパタイトが、樹脂層の少なくとも一部に設けられる。このため、この空気配送路形成部材では、従来の光半導体触媒を担持した空気配送路形成部材よりも高効率に臭気の元となる菌やウィルスなどを分解除去することができる。
【発明の効果】
【００３２】
第１発明に係る空気調和機では、従来の光半導体触媒を担持した空気調和機よりも高効率に臭気の元となる菌やウィルスなどを分解除去することができる。
【００３３】
第２発明に係る空気調和機では、スクロール部を清潔に保つことができる。
【００３４】
第３発明に係る空気調和機では、フラップを清潔に保つことができる。
【００３５】
第４発明に係る空気調和機では、加湿ホースや加湿ダクトなどを清潔に保つことができる。
【００３６】
第５発明に係る空気調和機では、従来の光半導体触媒を担持した空気調和機よりも高効率に臭気の元となる菌やウィルスなどを分解除去することができる。
【００３７】
第６発明に係る空気調和機では、羽根車を清潔に保つことができる。
【００３８】
第７発明に係る空気調和機では、ドレンパンを清潔に保つことができる。
【００３９】
第８発明に係る空気調和機では、加湿ユニットを清潔に保つことができる。
【００４０】
第９発明に係る空気調和機では、樹脂部の製造方法をほとんど変更にすることなく清浄機能を有する樹脂部を製造することができる。
【００４１】
第１０発明に係る空気調和機では、さらに高効率に臭気の元となる菌やウィルスなどを分解除去することができる。
【００４２】
第１１発明に係る空気配送路形成部材では、従来の光半導体触媒を担持した空気配送路形成部材よりも高効率に臭気の元となる菌やウィルスなどを分解除去することができる。
【００４３】
第１２発明に係る空気配送路形成部材では、従来の光半導体触媒を担持した空気配送路形成部材よりも高効率に臭気の元となる菌やウィルスなどを分解除去することができる。
【発明を実施するための最良の形態】
【００４４】
＜第１実施形態＞
〔空気調和機の全体構成〕
本発明の第１実施形態に係る空気調和機１の外観を図１に示す。
【００４５】
この空気調和機１は、室内の壁面に取り付けられる壁掛け型の室内機２と、室外に設置される室外機３とを備える。
【００４６】
室内機２内には室内熱交換器が収納され、室外機３内には室外熱交換器が収納されており、各熱交換器が冷媒配管４により接続されることにより冷媒回路を構成している。
【００４７】
〔空気調和機の冷媒回路の構成概略〕
空気調和機１の冷媒回路の構成を図２に示す。この冷媒回路は、主として室内熱交換器２０、アキュムレータ３１、圧縮機３２、四路切換弁３３、室外熱交換器３０及び電動膨張弁３４で構成される。
【００４８】
室内機２に設けられている室内熱交換器２０は、接触する空気との間で熱交換を行う。また、室内機２には、室内空気を吸い込んで室内熱交換器２０に通し熱交換が行われた後の空気を室内に排出するためのクロスフローファン２１が設けられている。クロスフローファン２１は、円筒形状に構成され、周面には回転軸方向に羽根が設けられているものであり、回転軸と交わる方向に空気流を生成する。このクロスフローファン２１は、室内機２内に設けられる室内ファンモータ２２によって回転駆動される。室内機２の詳細な構成については後に説明する。
【００４９】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、ファンモータ３９によって回転駆動される。
【００５０】
〔室内機の構成〕
図３に室内機２の側面断面図を示す。
【００５１】
室内機２は、上述したクロスフローファン２１や室内熱交換器２０などと、これらを収容する室内機ケーシング２３ａとを備えている。
【００５２】
クロスフローファン２１は、室内ファンモータ２２によって中心軸周りに回転駆動されることにより、吸込み口２５１から取り込まれ室内熱交換器２０を通り吹出し口２５２から室内へと吹き出す空気流を生成する。クロスフローファン２１は、側面視において室内機２の概ね中央に位置している。
【００５３】
室内熱交換器２０は、クロスフローファン２１の前方、上方および後部上方を取り囲むように取り付けられている。室内熱交換器２０は、クロスフローファン２１の駆動により吸込み口２５１から吸い込まれた空気をクロスフローファン２１側に通過させ、伝熱管の内部を通過する冷媒との間で熱交換を行わせる。室内熱交換器２０は、側面視において概ね逆Ｖ字型の断面形状を有している。なお、この室内熱交換器２０の下部には、ドレンパン２９ａ，２９ｂが設けられている。このドレンパン２９ａ，２９ｂは、冷房時に室内熱交換器２０の表面に生じる露が室内に落下しないように受け止める役目を果たす。
【００５４】
（室内機ケーシング２３ａの構成）
室内機ケーシング２３ａは、主として、スクロール２４、前面グリル２５ａおよびフロントパネル２６ａにより構成されている。
【００５５】
スクロール２４は、室内機２の背面を構成しており、室内熱交換器２０およびクロスフローファン２１の後方を覆っている。
【００５６】
前面グリル２５ａは、室内機２の天面、側面、下面を覆うように形成されており、前面グリル２５ａの前部にはフロントパネル２６ａが取り付けられる（図３および図４参照）。前面グリル２５ａの天面には、複数のスリット状の開口からなる吸込み口２５１が設けられている。吸込み口２５１は、前面グリル２５ａの天面の略全体に亘って設けられている。前面グリル２５ａの下面の前側には、室内機２の長手方向に沿う開口からなる吹出し口２５２が設けられている。また、吹出し口２５２には、室内へと吹出す空気が案内される水平フラップ２５３が設けられている。この水平フラップ２５３は、室内機２の長手方向に平行な軸を中心に回動自在に設けられている。水平フラップ２５３は、フラップモータ（図示せず）によって回動することにより、吹出し口２５２の開閉を行うことができる。
【００５７】
フロントパネル２６ａは、室内機２の前面に配置されている。フロントパネル２６ａは、前面グリル２５ａとは別体として形成されており、前面グリル２５ａの前面を覆うように取り付けられている。フロントパネル２６ａの表側は、水平に設けられた段差によって上下に分かれた２つの面によって構成されているが、各面は概ね平坦に形成されており、凹凸および穴やスリットなどの開口部のない滑らかな表面となっている。また、段差部分は平面的な開口となっており、この開口からも室内の空気が吸い込まれる（図３の白抜き矢印Ａ１参照）。
【００５８】
前面グリル２５ａの前面には、図４に示すように開口２５４が設けられている。前面グリル２５ａの前面とフロントパネル２６ａとの間に各種のフィルタ５０，５１，５２が取り付けられることにより、この開口２５４がフィルタ５０，５１，５２に覆われる。このフィルタ５０，５１，５２には、プレフィルタ５０、空気清浄フィルタ５１および光触媒フィルタ５２がある。
【００５９】
プレフィルタ５０は、塵や埃を通過する空気から除去することができる。プレフィルタ５０は、前面グリル２５ａの前面から天面までを覆うように設けられている。プレフィルタ５０のうち前面グリル２５ａの天面に位置する部分は、天面の吸込み口２５１のすぐ内側に位置している。
【００６０】
空気清浄フィルタ５１は、前面グリル２５ａの前面上部であって、プレフィルタ５０の内側に設けられる。空気清浄フィルタ５１は、プレフィルタ５０よりも細かい埃やタバコの煙、花粉などを通過する空気から除去することができる。
【００６１】
光触媒フィルタ５２は、前面グリル２５ａの前面下部に設けられており、通過する空気から臭気成分や有害ガス、菌、ウィルスなどを除去することが出来る。臭気成分とは、例えば、ホルムアルデヒド、アセトアルデヒド、アンモニア、硫化水素などであり、タバコ、生ゴミ、建築材などから生じる悪臭の原因となる成分である。有害ガスとは、ＮＯｘやＳＯｘなど、車の排気ガスなどに含まれている有害な成分である。光触媒フィルタ５２は、ハニカム構造を有するシート状に形成されており、主としてチタンアパタイトを含有している。なお、このチタンアパタイトとは、カルシウムヒドロキシアパタイトの一部のカルシウム原子がイオン交換などの手法によってチタン原子に置換されたアパタイトである。そして、このチタンアパタイトは、臭気成分や有害ガス、菌、ウィルスなどを特異的に吸着する。さらに、このチタンアパタイトは、光触媒機能を有しており、光によって強力な酸化力を発揮し、臭気成分や有害ガス、菌、ウィルスなどを分解して無害化することができる。
【００６２】
〔空気調和機のセルフクリーニング機能〕
この空気調和機１の室内機２を構成する部材であるクロスフローファン２１、前面グリル２５ａ（吸込み口２５１、吹出し口２５２、スクロール２４、およびドレンパン２９ａ，２９ｂを含む）、フロントパネル２６ａ、およびフラップ２５３は樹脂成形体であり、この樹脂には、チタンアパタイトが配合されている。なお、この樹脂成形体２１，２５ａ，２６ａ，２５３は、表面がおおよそ平滑である。また、そのチタンアパタイトの一部は、樹脂表面に露出している。また、室内熱交換器２０はアルミニウムなどの金属体であるが、その表面にはチタンアパタイトがコーティングされている。
【００６３】
上述したように、このチタンアパタイトは、臭気成分や有害ガス、菌、ウィルスなどを特異的に吸着する。そして、これらのチタンアパタイトは、外光や、室内熱交換器２０とクロスフローファン２１との間に配置される紫外線ランプ６０（図３参照）によって、強力な酸化力を発揮し、臭気成分や有害ガス、菌、ウィルスなどを分解して無害化することができる。なお、吸込み口２５１、吹出し口２５２、およびスクロール２４、フラップ２５３、フロントパネル２６ａの外面に存在するチタンアパタイトは、主に外光によって活性化される。
【００６４】
〔チタンアパタイトの菌およびウィルスに対する性能〕
チタンアパタイトのウィルス、菌、および毒素の不活化率を表１に示す。
【００６５】
【表１】
2005326137.tif 000003
なお、これらの不活化率は、財団法人  日本食品分析センターにおいて、以下に示す方法で測定されている。
【００６６】
１．インフルエンザウィルスの不活化率
（１）試験概要
チタンアパタイトが塗布されているフィルタ（約３０ｍｍ×３０ｍｍ）にインフルエンザウィルス浮遊液を滴下し、室温にて暗条件（遮光）および明条件〔ブラックライト照射下（フィルタとブラックライトとの距離  約２０ｃｍ）〕で保存し、２４時間後のウィルス感染価を測定した。
【００６７】
（２）不活化率の計算
不活化率＝１００×（１−１０B／１０A）
Ａ：接種直後のウィルス感染価
Ｂ：光照射下２４時間後のフィルタのウィルス感染価
（３）試験方法
Ａ．試験ウィルス：インフルエンザウィルスＡ型（Ｈ１Ｎ１）
Ｂ．使用細胞：ＭＤＣＫ（ＮＢＬ−２）細胞  ＡＴＣＣ  ＣＣＬ−３４株〔大日本製薬株式会社〕
Ｃ．使用培地
ａ）細胞増殖培地
Ｅａｇｌｅ  ＭＥＭ（０．０６ｍｇ／ｍｌカナマイシン含有）に新生コウシ血清を１０％加えたものを使用した。
【００６８】
ｂ）細胞維持培地
以下の組成の培地を使用した。
【００６９】
Ｅａｇｌｅ  ＭＥＭ                １，０００ｍＬ
１０％  ＮａＨＣＯ３              ２４〜４４ｍＬ
Ｌ−グルタミン（３０ｇ／Ｌ）          ９．８ｍＬ
１００×ＭＥＭ用ビタミン液              ３０ｍＬ
１０％  アルブミン                      ２０ｍＬ
トリプシン（５ｍｇ／ｍＬ）                ２ｍＬ
Ｄ．ウィルス浮遊液の調製
ａ）細胞の培養
細胞増殖培地を用い、ＭＤＣＫ細胞を組織培養用フラスコ内に単層培養した。
【００７０】
ｂ）ウィルスの接種
単層培養後にフラスコ内から細胞増殖培地を除き、試験ウィルスを接種した。次に、細胞維持培地を加えて３７℃の炭酸ガスインキュベーター（ＣＯ2濃度：５％）内で２〜５日間培養した。
【００７１】
ｃ）ウィルス浮遊液の調製
培養後、倒立位相差顕微鏡を用いて細胞の形態を観察し、８０％以上の細胞に形態変化（細胞変成効果）が起こっていることを確認した。次に培養液を遠心分離（３，０００ｒ／ｍｉｎ、１０分間）し、得られた上澄み液をウィルス浮遊液とした。
【００７２】
Ｅ．試料の調製
フィルタ（約３０ｍｍ×３０ｍｍ）を湿熱滅菌（１２１℃、１５分間）後１時間風乾し、プラスチックシャーレに入れ、ブラックライト（ブラックライトブルー、ＦＬ２０Ｓ  ＢＬ−Ｂ  ２０  Ｗ、２本平行）を１２時間以上照射したものを試料とした。
【００７３】
Ｆ．試験操作
試料にウィルス浮遊液０．２ｍＬを滴下した。室温にて遮光およびブラックライト照射下（フィルタとブラックライトとの距離  約２０ｃｍ）で保存した。また、ポリエチレンフィルムを対照試料として、同様に試験した。
【００７４】
Ｇ．ウィルスの洗い出し
保存２４時間後、試験片中のウィルス浮遊液を細胞維持培地２ｍＬで洗い出した。
【００７５】
Ｈ．ウィルス感染価の測定
細胞増殖培地を用い、ＭＤＣＫ細胞を組織培養用マイクロプレート（９６穴）内で単層培養した後、細胞増殖培地を除き細胞維持培地を０．１ｍＬずつ加えた。次に、洗い出し液およびその希釈液０．１ｍＬを４穴ずつに接種し、３７℃の炭酸ガスインキュベーター（ＣＯ2濃度：５％）内で４〜７日間培養した。培養後、倒立位相差顕微鏡を用いて細胞の形態変化（細胞変成効果）の有無を観察し、Ｒｅｅｄ−Ｍｕｅｎｃｈ法により５０％組織培養感染量（ＴＣＩＤ50）を算出して洗い出し液１ｍＬ当たりのウィルス感染価に換算した。
【００７６】
２．大腸菌（Ｏ−１５７）、黄色ブドウ球菌およびクロカワカビの不活化率
（１）試験概要
抗菌製品技術協議会  試験法「抗菌加工製品の抗菌力評価試験法ＩＩＩ（２００１年度版）光照射フィルム密着法」〔以下「光照射フィルム密着法（抗技協２００１年度版）」という。〕を参考にして、フィルタの抗菌力試験を行った。
【００７７】
なお、試験は以下の通りに実施した。
【００７８】
試料に大腸菌、黄色ブドウ球菌およびクロカワカビの菌液を滴下し、その上に低密度ポリエチレンフィルムをかぶせ、密着させた。これらを室温（２０〜２５℃）、暗条件（遮光）および明条件〔ブラックライト照射下（フィルタとブラックライトとの距離  約２０ｃｍ）〕で保存し、２４時間後の生菌数を測定した。
【００７９】
（２）試験方法
Ａ．試験菌株
細菌：
Escherichia coli IFO 3972（大腸菌）
Staphylococcus aureus subsp. aureus IFO 12732（黄色ブドウ球菌）
カビ：
Cladosporium cladosporioides IFO 6348（クロカワカビ）
Ｂ．試験培地
ＮＡ培地：普通寒天培地〔栄研化学株式会社〕
１／５００ＮＢ培地：肉エキス０．２％を添加した普通ブイヨン〔栄研化学株式会社〕をリン酸緩衝液で５００倍に希釈し、ｐＨを７．０±０．２に調製したもの
ＳＣＤＬＰ培地：ＳＣＤＬＰ培地〔日本製薬株式会社〕
ＳＡ培地：標準寒天培地〔栄研器材株式会社〕
ＰＤＡ培地：ポテトデキストロース寒天培地〔栄研器材株式会社〕
Ｃ．菌液の調製
細菌：
ＮＡ培地で３５℃、１６〜２４時間前培養した試験菌株をＮＡ培地に再度接種して３５℃、１６〜２０時間培養した菌体を１／５００ＮＢ培地に均一に分散させ、１ｍＬ当たりの菌数が２．５×１０5〜１．０×１０6となるように調製した。
【００８０】
カビ：
ＰＤＡ培地で２５℃、７〜１０日間培養した後、胞子（分生子）を０．００５％スルホこはく酸ジオクチルナトリウム溶液に浮遊させ、ガーゼでろ過後、１ｍＬ当たりの胞子数が２．５×１０5〜１．０×１０6となるように調製した。
【００８１】
Ｄ．試料の調製
フィルタ（約５０ｍｍ×５０ｍｍ）を湿熱滅菌（１２１℃、１５分間）後１時間風乾し、プラスチックシャーレに入れ、ブラックライト（ブラックライトブルー、ＦＬ２０Ｓ  ＢＬ−Ｂ  ２０  Ｗ、２本平行）を１２時間以上照射したものを試料とした。
【００８２】
Ｅ．試験操作
試料に菌液０．４ｍＬを滴下し、その上に低密度ポリエチレンフィルム（４０ｍｍ×４０ｍｍ）をかぶせ、密着させた。これらを室温（２０〜２５℃）、遮光およびブラックライト照射下（フィルタとブラックライトとの距離  約２０ｃｍ）で保存した。また、ポリエチレンフィルムを対照試料として、同様に試験した。
【００８３】
Ｆ．生菌数の測定
保存２４時間後にＳＣＤＬＰ培地で試料から生残菌を洗い出し、この洗い出し液の生菌数を、細菌はＳＡ培地（３５℃、２日間培養）、カビはＰＤＡ培地（２５℃、７日間培養）を用いた混釈平板培養法により測定し、試料１個当たりに換算した。また、接種直後の測定は対照試料で行った。
【００８４】
３．エンテロトキシンの不活化率
（１）試験概要
試料にブドウ球菌エンテロトキシンＡ（以下、「ＳＥＴ−Ａ」と略す。）を接種し、室温（２０〜２５℃）、暗条件（遮光）および明条件（紫外線強度約１ｍＷ／ｃｍ2の光照射下）で保存し、２４時間後のＳＥＴ−Ａ濃度を測定し、分解率を算出した。
【００８５】
（２）試験方法
Ａ．標準原液の調製
ＳＥＴ―Ａ標準品〔ＴＯＸＩＮ  ＴＥＣＨＮＯＬＯＧＹ〕を０．５％ウシ血清アルブミン含有１％塩化ナトリウム溶液で溶解し、５μｍ／ｍＬの標準原液を調製した。
【００８６】
Ｂ．検量線用標準溶液
標準原液をＶＩＤＡＸ  Ｓｔａｐｈ  ｅｎｔｅｒｏｔｏｘｉｎ（ＳＥＴ）〔ｂｉｏＭｅｒｉｅｕｘ〕付属の緩衝液で希釈し、０．２、０．５および１ｎｇ／ｍＬの標準溶液を調製した。
【００８７】
Ｃ．試料の調製
フィルタを５０ｍｍ×５０ｍｍの大きさに切断し、約１ｃｍの距離からブラックライトを２４時間照射したものを試料とした。
【００８８】
Ｄ．試験操作
試料をプラスチックシャーレに入れ、ＳＥＴ―Ａ標準原液０．４ｍＬを接種した。これらを室温（２０〜２５℃）、遮光および紫外線強度約１ｍＷ／ｃｍ2の光照射下（ブラックライト、ＦＬ２０Ｓ  ＢＬ−Ｂ  ２０  Ｗ、２本平行）で保存した。
【００８９】
保存２４時間後にＶＩＤＡＸ  Ｓｔａｐｈ  ｅｎｔｅｒｏｔｏｘｉｎ（ＳＥＴ）〔ｂｉｏＭｅｒｉｅｕｘ〕付属の緩衝液１０ｍＬで試料からＳＥＴ−Ａを洗い出し試料溶液とした。
【００９０】
なお、試料を入れないプラスチックシャーレにＳＥＴ−Ａ標準原液０．４ｍＬを接種して直ちにＶＩＤＡＸ  Ｓｔａｐｈ  ｅｎｔｅｒｏｔｏｘｉｎ（ＳＥＴ）〔ｂｉｏＭｅｒｉｅｕｘ〕付属の緩衝液１０ｍＬを加えたものを対照とした。
【００９１】
Ｅ．検量線の作成
検量線用標準溶液について、ＶＩＤＡＸ  Ｓｔａｐｈ  ｅｎｔｅｒｏｔｏｘｉｎ（ＳＥＴ）〔ｂｉｏＭｅｒｉｅｕｘ〕を用いたＥＬＩＳＡ法で測定し、標準溶液の濃度と蛍光強度から検量線を作成した。
【００９２】
Ｆ．ＳＥＴ―Ａ濃度の測定および分解率の算出
試料溶液について、ＶＩＤＡＸ  Ｓｔａｐｈ  ｅｎｔｅｒｏｔｏｘｉｎ（ＳＥＴ）〔ｂｉｏＭｅｒｉｅｕｘ〕を用いたＥＬＩＳＡ法で蛍光強度を測定し、Ｅ．で作成した検量線からＳＥＴ−Ａ濃度を求め、次式により分解率を算出した。
【００９３】
分解率（％）＝（対照の測定値−試料溶液の測定値）／対照の測定値×１００
〔空気調和機の特徴〕
（１）
第１実施形態に係る空気調和機１では、クロスフローファン２１、前面グリル２５ａ（吸込み口２５１、吹出し口２５２、スクロール２４、およびドレンパン２９ａ，２９ｂを含む）、フロントパネル２６ａ、およびフラップ２５３が、チタンアパタイトが配合された樹脂により成形されている。また、そのチタンアパタイトの一部は、樹脂表面に露出している。そして、このチタンアパタイトは、臭気成分や有害ガス、菌、ウィルスなどを特異的に吸着し、外光や紫外線ランプ６０によって臭気成分や有害ガス、菌、ウィルスなどを強力に酸化分解して無害化することができる。このため、この空気調和機１は、従来の吸着能力に劣る二酸化チタンが配合された空気調和機よりも優れたセルフクリーニング性を発揮することができる。
【００９４】
（２）
第１実施形態に係る空気調和機１では、室内熱交換器２０にチタンアパタイトがコーティングされている。そして、このチタンアパタイトは、臭気成分や有害ガス、菌、ウィルスなどを特異的に吸着し、外光や紫外線ランプ６０によって臭気成分や有害ガス、菌、ウィルスなどを強力に酸化分解して無害化することができる。このため、この空気調和機１は、従来の吸着能力に劣る二酸化チタンが配合された空気調和機よりも優れたセルフクリーニング性を発揮することができる。
【００９５】
（３）
第１実施形態に係る空気調和機１では、チタンアパタイトが、樹脂成形体２１１，２５ａ，２６ａ，２５３に配合されている。従来、二酸化チタンなどの光半導体触媒はコーティングされることが多かった。しかし、光半導体触媒をコーティングするためには製造工程を増やさざるを得ないため、製造コストがかさむという問題があった。しかし、ここでは、光触媒機能を有するチタンアパタイトが樹脂成形体に配合されている。このため、樹脂成形工程後に製造工程を追加する必要がない。したがって、製造コストをできるだけ低く抑えることができる。
【００９６】
（４）
第１実施形態に係る空気調和機１では、チタンアパタイトが、樹脂成形体２１１，２５ａ，２６ａ，２５３に配合されている。チタンアパタイトは、図８に示されるように、アセトアルデヒドに対して、従来のアナターゼ型の二酸化チタンよりも優れた分解処理性能を発揮する。なお、図８のグラフにおいて、縦軸は二酸化炭素濃度であり、横軸は時間である。つまり、アセトアルデヒドの分解により生じる二酸化炭素の濃度を測定することにより間接的に分解処理性能を測定していることになる。なお、この測定は、チタンアパタイトの表面積と二酸化チタンの表面積とを一致させて行われている。また、図８のグラフから明らかなように、チタンアパタイトの方が二酸化チタンよりも高い分解処理性能を示す。また、チタンアパタイトは３時間が経過しても一定の反応速度でアセトアルデヒドを分解し続けるのに対し、二酸化チタンは３時間を経過するとその分解能力がほぼ飽和し、両者の分解処理性能の差が著しくなる。このため、この空気調和機１は、菌やウィルスなどに対して、従来のアナターゼ型の二酸化チタンを利用した空気調和機よりも優れた分解処理能力を実現することができる。
【００９７】
また、図９に示されるように、アナターゼ型の二酸化チタンが菌やウィルスだけでなく自身を担持する基材（ウレタン樹脂）をも浸食するのに対し、チタンアパタイトは、基材をほとんど浸食しない。このため、チタンアパタイトは、従来のアナターゼ型の二酸化チタンを有機物に担持する際に使用されていた高価な特殊バインダを使用する必要がない。したがって、このチタンアパタイトを利用すれば、菌やウィルスなどに対して、優れた分解処理能力を提供することができるだけでなく、安価に光触媒機能を有する繊維を製造することができる。
【００９８】
〔変形例〕
（Ａ）
第１実施形態に係る空気調和機１では、樹脂成形体２１，２５ａ，２６ａ，２５３は表面がおおよそ平滑であったが、樹脂成形体２１，２５ａ，２６ａ，２５３は、粗面加工されていてもよい。このようにすれば、より多くのチタンアパタイトを樹脂成形体２１，２５ａ，２６ａ，２５３の表面に設けることができる。
【００９９】
（Ｂ）
第１実施形態に係る空気調和機１では、チタンアパタイトがクロスフローファン２１、前面グリル２５ａ（吸込み口２５１、吹出し口２５２、スクロール２４、およびドレンパン２９ａ，２９ｂを含む）、フロントパネル２６ａ、およびフラップ２５３などの樹脂成形体に配合されていたが、チタンアパタイトがそれらの樹脂成形体にコーティングされていてもよい。なお、この場合、樹脂成形体２１，２５ａ，２６ａ，２５３の表面が粗面加工されていてもよい。このようにすれば、より多くのチタンアパタイトを樹脂成形体２１，２５ａ，２６ａ，２５３の表面に設けることができる。また、チタンアパタイトと従来の光半導体触媒との混合物などが樹脂成形体２１，２５ａ，２６ａ，２５３にコーティングされてもよい。
【０１００】
（Ｃ）
第１実施形態に係る空気調和機１では、チタンアパタイトの光触媒機能を活性化するために光源として紫外線ランプ６０を採用したが、これに代えてＬＥＤなどを光源として採用してもかまわない。ＬＥＤは紫外線ランプ６０よりも安価であるので、製造コストを低減することができる。
【０１０１】
（Ｄ）
第１実施形態に係る空気調和機１では、チタンアパタイトの光触媒機能を活性化するために光源として紫外線ランプを採用したが、これに代えてプラズマ発生器（例えば、グロー放電器、バリア放電器、およびストリーマ放電器など）などを採用してもかまわない。プラズマが発生すると、同時に紫外線が生じる、したがって、その紫外線によりチタンアパタイトの光触媒機能を活性化することができる。また、プラズマが発生すると、高速電子、イオン、オゾン、ヒドロキシラジカルなどのラジカル種や、その他の励起分子（励起酸素分子、励起窒素分子、励起水分子）などの活性種が生成するため、さらに効率よく臭気成分や有害ガス、菌、ウィルスなどを分解、無害化することができる。
【０１０２】
（Ｅ）
第１実施形態では、クロスフローファン２１、前面グリル２５ａ、フロントパネル２６ａ、およびフラップ２５３にチタンアパタイトが配合されていたが、チタンアパタイトを配合する対象は上記のような空気調和機１の室内機２の構成部品には限られない。例えば、全熱交換器の給気管や排気管、あるいは空気ダクトシステムの空気ダクト等が樹脂から成形されている場合には、これらにチタンアパタイトを配合してもよい。
【０１０３】
＜第２実施形態＞
〔空気調和機の全体構成〕
本発明の第２実施形態に係る空気調和機３０１の外観を図５に示す。
【０１０４】
この空気調和機３０１は、室内の壁面などに取り付けられる室内機３０２と、室外に設置される室外機３０３とに分かれて構成されている。室外機３０３は、室外熱交換器やプロペラファンなどを収納する室外空調ユニット３０５と加湿給排気ユニット３０４とを備えている。室内機３０２内には室内熱交換器が収納され、室外機３０３内には室外熱交換器が収納されている。そして、各熱交換器およびこれらの熱交換器を接続する冷媒配管３３１，３３２（図６参照）が、冷媒回路を構成している。また、室外機３０３と室内機３０２との間には、加湿給排気ユニット３０４からの室外空気や加湿空気などを室内機３０２側に供給するときや室内の空気を室外に排気するときに用いられる給排気管３０７が設けられている。
【０１０５】
〔冷媒回路の構成〕
図６は、空気調和機３０１で用いられる冷媒回路の系統図に空気の流れの概略を付加したものである。
【０１０６】
室内機３０２には、室内熱交換器３１１が設けられている。この室内熱交換器３１１は、長さ方向両端で複数回折り返されてなる伝熱管と、伝熱管が挿通される複数のフィンとからなり、接触する空気との間で熱交換を行う。
【０１０７】
また、室内機３０２内には、クロスフローファン３１２と、クロスフローファン３１２を回転駆動する室内ファンモータ３１３とが設けられている。クロスフローファン３１２は、円筒形状に構成され、周面には多数の羽根が設けられており、回転軸と交わる方向に空気流を生成する。このクロスフローファン３１２は、室内空気を室内機３０２内に吸い込ませるとともに、室内熱交換器３１１との間で熱交換を行った後の空気を室内に吹き出させる。
【０１０８】
室外空調ユニット３０５には、圧縮機３２１と、圧縮機３２１の吐出側に接続される四路切換弁３２２と、圧縮機３２１の吸入側に接続されるアキュムレータ３２３と、四路切換弁３２２に接続された室外熱交換器３２４と、室外熱交換器３２４に接続された電動弁３２５とが設けられている。電動弁３２５は、フィルタ３２６および液閉鎖弁３２７を介して冷媒配管３３２に接続されており、この冷媒配管３３２を介して室内熱交換器３１１の一端と接続される。また、四路切換弁３２２は、ガス閉鎖弁３２８を介して冷媒配管３３１に接続されており、この冷媒配管３３１を介して室内熱交換器３１１の他端と接続されている。これらの冷媒配管３３１，３３２は、図５の冷媒配管３０６に相当する。
【０１０９】
また、室外空調ユニット３０５内には、室外熱交換器３２４での熱交換後の空気を外部に排出するためのプロペラファン３２９が設けられている。このプロペラファン３２９は、室外ファンモータ３３０によって回転駆動される。
【０１１０】
〔室外機の構成〕
室外機３０３は、図５に示すように下部の室外空調ユニット３０５および上部の加湿給排気ユニット３０４が一体となって構成されている。
【０１１１】
まず、図７に基づいて室外空調ユニット３０５の構成について説明する。
【０１１２】
（室外空調ユニットに係る構成）
室外空調ユニット３０５は、前面パネル３５１、側板３５２，３５３、保護金網（図示せず）、金属製の底板３５４などのケーシング部材や内部に収容される冷媒回路構成部品などにより構成されている。
【０１１３】
前面パネル３５１は、室外空調ユニット３０５の前面を覆う樹脂製の部材であり、室外熱交換器３２４に対して室外熱交換器３２４を通った空気の下流側に配置されている。前面パネル３５１には、複数のスリット状の開口からなる室外空調ユニット吹出口３５１ａが設けられており、室外熱交換器３２４を通った空気は、室外空調ユニット３０５の内部からこの室外空調ユニット吹出口３５１ａを通って室外機３０３の外部へと吹き出す。また、前面パネル３５１の後方には、ファン吹出口部材３５６と仕切板３５７とが取り付けられる。
【０１１４】
側板３５２，３５３には右側板３５２および左側板３５３があり、これらは室外空調ユニット３０５の側方を覆う金属製の部材である。ここでは、室外機３０３の正面視において右側に右側板３５２、左側に左側板３５３が設けられている。なお、各側板３５２，３５３は、室外熱交換器３２４を通って室外空調ユニット吹出口３５１ａから吹き出す空気の吹き出し方向に対して概ね平行に設けられている。また、右側板３５２には、液閉鎖弁３２７およびガス閉鎖弁３２８（図６参照）を保護するための閉鎖弁カバー３５５が取り付けられる。
【０１１５】
冷媒回路構成部品には、室外熱交換器３２４、圧縮機３２１、アキュムレータ３２３、四路切換弁３２２、電動弁３２５など（図６参照）がある。
【０１１６】
室外熱交換器３２４は、平面視において略Ｌ字形状を有し、室外空調ユニット３０５の背面を覆う保護金網の前方に配置される。
【０１１７】
室外熱交換器３２４の前方であって、仕切板３５７と左側板３５３との間の通気スペースには、室外ファンモータ３３０とプロペラファン３２９とが設けられている。室外ファンモータ３３０は、プロペラファン３２９を回転させる。プロペラファン３２９は、室外空調ユニット３０５内に取り入れた空気を室外熱交換器３２４と接触させ室外空調ユニット吹出口３５１ａから前面パネル３５１の前方に排気させる。
【０１１８】
圧縮機３２１、アキュムレータ３２３、四路切換弁３２２、電動弁３２５などの他の冷媒回路構成部品は、仕切板３５７と右側板３５２との間の機械室に配置されている。
【０１１９】
また、室外空調ユニット３０５の上部には、電装品ユニット３５８が取り付けられる。この電装品ユニット３５８は、電装品箱と各部を制御するための回路部品を搭載したプリント基板とにより構成されている。電装品ユニット３５８の上方には防炎板３５９が取り付けられる。
【０１２０】
（加湿給排気ユニットに係る構成）
次に加湿給排気ユニット３０４の構成について、主として図７に基づいて説明する。
【０１２１】
Ａ．加湿給排気ユニットケーシング
加湿給排気ユニット３０４は、加湿給排気ユニットケーシング３４０を有している。加湿給排気ユニットケーシング３４０は、加湿給排気ユニット３０４の前方、後方および両側方を覆っており、室外空調ユニット３０５の上部に接するように配置される。
【０１２２】
加湿給排気ユニットケーシング３４０の前面には、複数のスリット状の開口からなる吸着用空気吹出口３４０ａが設けられており、空気がこの吸着用空気吹出口３４０ａを通って室外機３０３の外部へと吹き出す。
【０１２３】
また、加湿給排気ユニットケーシング３４０の背面には、吸着用空気吸込口３４０ｂおよび給排気口３４０ｃが左右方向に並んで設けられている。吸着用空気吸込口３４０ｂは、吸加湿ロータ３４１に水分を吸着させるために室外から取り込まれる空気が通る開口である。給排気口３４０ｃは、室内機３０２へと送られるために取り込まれる空気が通る、または、室内機３０２から取り込まれて室外へと排気される空気が通る開口である。
【０１２４】
また、加湿給排気ユニットケーシング３４０の上部は、天板３６６により覆われている。
【０１２５】
加湿給排気ユニットケーシング３４０内は、右側が吸加湿ロータ３４１などを収容する空間、左側が吸着用ファン３４６などを収容する吸着用ファン収納空間ＳＰ１となっている。この加湿給排気ユニットケーシング３４０内には、吸加湿ロータ３４１、ヒータ組立体３４２、ラジアルファン組立体３４３、切換ダンパ３４４、吸着側ダクト３４５、吸着用ファン３４６などが配置されている。
【０１２６】
Ｂ．吸加湿ロータ
吸加湿ロータ３４１は、概ね円板形状を有するハニカム構造のセラミックロータであり、空気が容易に通過できる構造となっている。吸加湿ロータ３４１は、平面視において円形を有するロータであり、水平面で切った断面において細かいハニカム（蜂の巣）状になっている。そして、これらの断面が多角形である吸加湿ロータ３４１の多数の筒部分を、空気が通過する。
【０１２７】
吸加湿ロータ３４１の主たる部分は、ゼオライト、シリカゲル、あるいはアルミナといった吸着剤から焼成されている。このゼオライトなどの吸着剤は、接触する空気中の水分を吸着し、加熱されることによって吸着して含有する水分を離脱する性質を有している。
【０１２８】
この吸加湿ロータ３４１は、加湿給排気ユニットケーシング３４０側に設けられた支持軸３４０ｄに、図示しないロータガイドを介して回動可能に支持される。吸加湿ロータ３４１の周面には、ギヤが形成されており、ロータ駆動モータ３４７の駆動軸に取り付けられるロータ駆動ギヤ３４８と歯合している。
【０１２９】
Ｃ．ヒータ組立体
ヒータ組立体３４２は、ヒータカバー３４２ａと、その内部に収容されたヒータ本体（図示せず）とにより構成されており、室外から取り込まれて吸加湿ロータ３４１へ送られる空気を加熱する。また、ヒータ組立体３４２は、吸加湿ロータ３４１の上面の略半分（右側の半分）を覆うように配置されている。ヒータ組立体３４２の下面には、空気を吸入するための吸入口と、ヒータ組立体３４２で加熱された空気を吸加湿ロータ３４１側へ排出するための排出口とが形成されている。このヒータ組立体３４２は、ヒータ支持板３４９を介して吸加湿ロータ３４１の上方に取り付けられる。
【０１３０】
Ｄ．ラジアルファン組立体
ラジアルファン組立体３４３は、吸加湿ロータ３４１の側方に配置されており、ラジアルファン（図示せず）と、ラジアルファンを回転させるラジアルファンモータ（図示せず）とを有する。また、ラジアルファン組立体３４３は、上蓋（図示せず）を切換ダンパ３４４と共有しており、上蓋は、ラジアルファン組立体３４３の底面を閉じている。上蓋には、空気吹出し口と空気取入れ口とが設けられている。空気吹出し口は、ラジアルファン組立体３４３から切換ダンパ３４４内へと送られる空気が通る開口である。空気取入れ口は、切換ダンパ３４４内からラジアルファン組立体３４３へと送られる空気が通る開口である。ラジアルファン組立体３４３は、給排気口３４０ｃから吸加湿ロータ３４１および切換ダンパ３４４を経て室内へと到る空気の流れを生成して、室外から取り入れた空気を室内機３０２へと送る。また、ラジアルファン組立体３４３は、室内機３０２から取り入れた空気を室外へと排出することもできる。ラジアルファン組立体３４３は、切換ダンパ３４４が切り換わることにより、これらの動作を切り換える。
【０１３１】
ラジアルファン組立体３４３は、室外から取り入れた空気を室内機３０２へと送る場合には、吸加湿ロータ３４１を通過して吸加湿ロータ３４１の右側の略半分の部分のうち手前側の部分から降りてきた空気を、切換ダンパ３４４を経て給排気ダクト３６１へと送り出す。給排気ダクト３６１は、給排気管３０７（図５参照）に接続されており、ラジアルファン組立体３４３は、給排気ダクト３６１と給排気管３０７とを介して空気を室内機３０２へと供給する。
【０１３２】
ラジアルファン組立体３４３は、室内機３０２から取り入れた室内の空気を室外へと排出する場合には、給排気ダクト３６１から送られてきた空気を加湿給排気ユニットケーシング３４０の背面に設けられた給排気口３４０ｃから室外へと排出する。
【０１３３】
Ｅ．切換ダンパ
切換ダンパ３４４は、ラジアルファン組立体３４３の下方に配置される回転式の空気流路切換手段であり、第１状態、第２状態及び第３状態に切り替わる。
【０１３４】
第１状態においては、ラジアルファン組立体３４３から吹き出された空気は、給排気ダクト３６１を経て給排気管３０７を通って室内機３０２へと供給されるようになる。これにより、第１状態では、図６の実線矢印Ａ２で示す矢印の向きに空気が流れ、加湿空気あるいは室外空気が給排気管３０７を通って室内機３０２へと供給されるようになる。
【０１３５】
第２状態では、図６の破線矢印Ａ３で示す矢印の向きに空気が流れ、室内機３０２から給排気管３０７及び給排気ダクト３６１を通ってきた空気が、ラジアルファン組立体３４３から給排気口３４０ｃを経て室外へと排気される。
【０１３６】
第３状態では、切換ダンパ３４４と給排気ダクト３６１とを繋ぐ経路が閉じられ、室外機３０３と室内機３０２との間の空気の流れが遮断される。
【０１３７】
Ｆ．吸着側ダクトおよび吸着用ファン
吸着側ダクト３４５は、吸加湿ロータ３４１の上面のうちヒータ組立体３４２が位置しない部分（左側の略半分の部分）を覆っている。この吸着側ダクト３４５は、後述する吸着側ベルマウス３６３とともに、吸加湿ロータ３４１の左半分の部分の上面から以下に説明する吸着用ファン収納空間ＳＰ１の上部へと通じる空気流路を形成する。
【０１３８】
吸着用ファン収納空間ＳＰ１に収容される吸着用ファン３４６は、吸着用ファンモータ３６５によって回転する遠心ファンであり、上部に配置される吸着側ベルマウス３６３の開口部３６３ａから空気を吸込むことで、吸着用空気吸込口３４０ｂから吸加湿ロータ３４１を介して、開口部３６３ａへ流れる気流を生成する。そして、吸着用ファン３４６は、吸加湿ロータ３４１を通る際に水分を吸着された乾燥空気を吸着用空気吹出口３４０ａから加湿給排気ユニットケーシング３４０の前方へ向けて排気する。吸着側ベルマウス３６３は、吸着用ファン収納空間ＳＰ１の上部に設けられており、吸着側ダクト３４５によって形成される空気流路を通ってくる空気を吸着用ファン３４６へと導く役割を果たす。
【０１３９】
〔空気調和機のセルフクリーニング機能〕
給排気管３０７は樹脂成形体であり、この樹脂には、チタンアパタイトが配合されている。また、そのチタンアパタイトの一部は、樹脂表面に露出している。なお、この給排気管３０７の一部は透明であり、内部に外光が差し込むようになっている。
【０１４０】
加湿給排気ユニット３０４を構成する部材である加湿給排気ユニットケーシング３４０（吸着用空気吹出口３４０ａ、吸着用空気吸込口３４０ｂ、給排気口３４０ｃ、および支持軸３４０ｄを含む。）、天板３６６、吸着用ファン３４６、ロータ駆動ギヤ３４８、ラジアルファン、切換ダンパ３４４、給排気ダクト３６１、吸着側ダクト３４５、吸着側ベルマウス３６３は樹脂成形体であり、この樹脂には、チタンアパタイトが配合されている。なお、この樹脂成形体３４０，３６６，３４６，３４８，３４４，３６１，３４５，３６３は、表面がおおよそ平滑である。また、そのチタンアパタイトの一部は、樹脂表面に露出している。また、吸加湿ロータ３４１はセラミック体であるが、その表面にはチタンアパタイトがコーティングされている。また、ヒータカバー３４２ａはアルミニウムなどの金属体であるが、その表面にはチタンアパタイトがコーティングされている。なお、この加湿給排気ユニット３０４には、図示しない紫外線ランプが設けられている。また、この加湿給排気ユニット３０４には、吸着用空気吹出口３４０ａ、吸着用空気吸込口３４０ｂ、および給排気口３４０ｃから、外光が差し込むようになっている。
【０１４１】
この空気調和機３０１の室内機３０２を構成する部材であるクロスフローファン３１２やケーシングなどは樹脂成形体であり、この樹脂には、チタンアパタイトが配合されている。また、そのチタンアパタイトの一部は、樹脂表面に露出している。また、室内熱交換器３１１はアルミニウムなどの金属体であるが、その表面にはチタンアパタイトがコーティングされている。なお、この室内機３０２には、紫外線ランプが設けられている。
【０１４２】
そして、上記部品に配合またはコーティングされたチタンアパタイトは、臭気成分や有害ガス、菌、ウィルスなどを特異的に吸着する。そして、このチタンアパタイトは、外光や紫外線ランプによって、強力な酸化力を発揮し、臭気成分や有害ガス、菌、ウィルスなどを分解して無害化することができる。
【０１４３】
〔加湿給排気ユニットの動作および制御内容〕
本実施形態にかかる空気調和機３０１における空気の流れを説明するために、以下、加湿給排気ユニット３０４の動作を説明する。また、ここでは、加湿運転などの制御内容に関する制御を説明する。
【０１４４】
（加湿給排気ユニットの動作）
本実施形態にかかる空気調和機３０１において加湿運転を行うときには、上記の切換ダンパ３４４は第１状態に切り換えられる。以下、加湿運転や給気運転を行う際の加湿給排気ユニット３０４の動作について図６及び図７に基づいて説明する。
【０１４５】
加湿給排気ユニット３０４は、吸着用ファン３４６を回転駆動することによって、室外からの空気を吸着用空気吸込口３４０ｂから加湿給排気ユニットケーシング３４０内に取り入れる。加湿給排気ユニットケーシング３４０内に入ってきた空気は、吸加湿ロータ３４１の左側の略半分の部分を通過して、吸着側ダクト３４５および吸着側ベルマウス３６３により形成される空気流路および吸着用ファン３４６を介して、吸着ファン収納空間ＳＰ１から吸着用空気吹出口３４０ａを通って室外機３０３の前方へと排出される（図６の矢印Ａ４及び図７参照）。加湿給排気ユニットケーシング３４０内に室外から取り入れられた空気が吸加湿ロータ３４１の左側の略半分の部分を通過する際に、吸加湿ロータ３４１は、空気中に含まれている水分を吸着する。
【０１４６】
この吸着工程で水分を吸着した吸加湿ロータ３４１の左側の略半分の部分は、吸加湿ロータ３４１が回転することによって、吸加湿ロータ３４１の右側の略半分の部分となる。すなわち、吸着された水分は、吸加湿ロータ３４１の回転に伴い、ヒータ組立体３４２の下方に位置する吸加湿ロータ３４１の部分に移動してくる。そして、ここに移動してきた水分は、ヒータ組立体３４２からの熱により、ラジアルファン組立体３４３によって生成される空気流中に離脱していく。
【０１４７】
ラジアルファン組立体３４３を駆動すると、給排気口３４０ｃから加湿給排気ユニットケーシング３４０内に室外の空気が取り込まれ、その空気が吸加湿ロータ３４１の右側の略半分の部分のうち奥の部分の下方から上方に向けて通過し、ヒータ組立体３４２の下面の吸入口からヒータ組立体３４２内に導入される。そして、ヒータ組立体３４２内に入った空気は、ヒータ組立体３４２の下面の排出口から排出され、吸加湿ロータ３４１の右側の略半分の部分のうち手前の部分を上方から下方に通過し、切換ダンパ３４４のケーシング側部開口から切換ダンパ３４４の内部を通ってラジアルファン組立体３４３へと至る（図６の矢印Ａ５及び図７参照）。このような空気流は、ラジアルファン組立体３４３が生成するものである。ラジアルファン組立体３４３は、上記のように吸加湿ロータ３４１および切換ダンパ３４４を通り抜けてきた空気を、切換ダンパ３４４、給排気ダクト３６１及び給排気管３０７を介して室内機３０２へと送る。この室内機３０２へと送られる空気は、吸加湿ロータ３４１に吸着されていた水分を含むようになっている。
【０１４８】
このようにして加湿給排気ユニット３０４から室内機３０２に供給された空気は、室内熱交換器３１１を経て室内に吹き出される。なお、この空気調和機３０１は、吸着用ファンモータ３６５やヒータ組立体３４２を作動させないことにより、加湿を行わずに室外の空気を取り入れて室内機３０２へと送る給気換気のみを行うこともできる。
【０１４９】
（制御部による加湿給排気ユニットの制御）
次に、制御部による加湿給排気ユニット３０４の制御について説明する。制御内容としては、上述した加湿運転時の制御や給気運転、排気運転及び解凍運転に関する制御がある。
【０１５０】
Ａ．加湿運転
制御部は、リモコンからの加湿指令を受けた場合やリモコンからの加湿自動運転指令に応じて加湿運転の必要があると判断した場合に、加湿運転を行う。この加湿運転は、暖房運転とともに行われることも多い。加湿運転においては、加湿給排気ユニット３０４内のロータ駆動モータ３４７、ヒータ本体、ラジアルファンモータ、および吸着用ファンモータ３６５が駆動する。この加湿運転では、上述したように、吸着用ファン３４６の回転によって外部から加湿給排気ユニット３０４内に導入した空気中に含まれる水分を吸加湿ロータ３４１に吸着させるとともに、ヒータ本体により加熱された空気をラジアルファンの回転によって吸加湿ロータ３４１に通し、吸加湿ロータ３４１から離脱した水分を含む空気を給排気管３０７を介して室内機３０２へと供給させる。
【０１５１】
Ｂ．給気運転及び排気運転
室内の換気を行う必要があると判断した場合に、制御部は、給気運転あるいは排気運転を行う。給気運転は、加湿給排気ユニット３０４に室外空気を取り込ませ、その室外空気を給排気ホース３０７から室内機３０２へと供給させる運転である。排気運転は、加湿給排気ユニット３０４のラジアルファン組立体３４３により給排気ホース３０７内の空気を吸い込ませ、すなわち室内空気を、室内機３０２を介して給排気ホース３０７へと吸い込ませ、それをラジアルファン組立体３４３から室外機３０３の外へと排出させる運転である。給気運転および排気運転における空気の流れは、切換ダンパ３４４の詳細構成と共に上述した第１状態および第２状態の説明にある通りである。給気運転時には、切換ダンパ３４４が第１状態とされ、室外空気が給排気ホース３０７を通って室内機３０２へと給気される。一方、排気運転時には、切換ダンパ３４４が第２状態とされ、室内機３０２から給排気ホース３０７を通ってきた空気が、ラジアルファン組立体３４３の空気吹出し口から切換ダンパ３４４のケーシング側部開口を通って機外へと排気される。なお、これらの給気運転および排気運転においては、加湿給排気ユニット３０４の吸着用ファン３４６やロータ駆動モータ３４７は作動させずに、ラジアルファンだけを回転させる。
【０１５２】
また、空調しながら新鮮な室外の空気も取り入れて緩やかに換気を行いたい場合には、給気運転を選択することができる。
【０１５３】
なお、空気調和機１の運転停止時には、制御部は、切換ダンパ３４４を、上記の第１状態及び第２状態とは異なる第３状態とする。第３状態では、室内と室外とが連通しない状態となる。
【０１５４】
〔空気調和機の特徴〕
（１）
第２実施形態に係る空気調和機３０１では、給排気管３０７が、チタンアパタイトが配合された樹脂により成形されている。また、そのチタンアパタイトの一部は、樹脂表面に露出している。そして、このチタンアパタイトは、臭気成分や有害ガス、菌、ウィルスなどを特異的に吸着し、太陽光や紫外線ランプによって臭気成分や有害ガス、菌、ウィルスなどを強力に酸化分解して無害化することができる。このため、この空気調和機３０１は、従来の吸着能力に劣る二酸化チタンが配合された空気調和機よりも優れたセルフクリーニング性を発揮することができる。
【０１５５】
（２）
第２実施形態に係る空気調和機３０１では、加湿給排気ユニット３０４を構成する部材である加湿給排気ユニットケーシング３４０（吸着用空気吹出口３４０ａ、吸着用空気吸込口３４０ｂ、給排気口３４０ｃ、および支持軸３４０ｄを含む。）、天板３６６、吸着用ファン３４６、ロータ駆動ギヤ３４８、ラジアルファン、切換ダンパ３４４、給排気ダクト３６１、吸着側ダクト３４５、吸着側ベルマウス３６３が、チタンアパタイトが配合された樹脂により成形されている。また、そのチタンアパタイトの一部は、樹脂表面に露出している。そして、このチタンアパタイトは、臭気成分や有害ガス、菌、ウィルスなどを特異的に吸着し、太陽光や紫外線ランプによって臭気成分や有害ガス、菌、ウィルスなどを強力に酸化分解して無害化することができる。このため、この空気調和機３０１は、従来の吸着能力に劣る二酸化チタンが配合された空気調和機よりも優れたセルフクリーニング性を発揮することができる。
【０１５６】
（３）
第２実施形態に係る空気調和機３０１では、吸加湿ロータ３４１およびヒータカバー３４２ａにチタンアパタイトがコーティングされている。そして、このチタンアパタイトは、臭気成分や有害ガス、菌、ウィルスなどを特異的に吸着し、紫外線ランプ６０によって臭気成分や有害ガス、菌、ウィルスなどを強力に酸化分解して無害化することができる。このため、この空気調和機１は、従来の吸着能力に劣る二酸化チタンが配合された空気調和機よりも優れたセルフクリーニング性を発揮することができる。
【０１５７】
（４）
第２実施形態に係る空気調和機３０１では、室内機３０２を構成する部材であるクロスフローファン３１２やケーシングなどが、チタンアパタイトが配合された樹脂により成形されている。また、そのチタンアパタイトの一部は、樹脂表面に露出している。そして、このチタンアパタイトは、臭気成分や有害ガス、菌、ウィルスなどを特異的に吸着し、太陽光や紫外線ランプによって臭気成分や有害ガス、菌、ウィルスなどを強力に酸化分解して無害化することができる。このため、この空気調和機３０１は、従来の吸着能力に劣る二酸化チタンが配合された空気調和機よりも優れたセルフクリーニング性を発揮することができる。
【０１５８】
（５）
第２実施形態に係る空気調和機３０１では室内熱交換器３１１にチタンアパタイトがコーティングされている。そして、このチタンアパタイトは、臭気成分や有害ガス、菌、ウィルスなどを特異的に吸着し、紫外線ランプ６０によって臭気成分や有害ガス、菌、ウィルスなどを強力に酸化分解して無害化することができる。このため、この空気調和機１は、従来の吸着能力に劣る二酸化チタンが配合された空気調和機よりも優れたセルフクリーニング性を発揮することができる。
【０１５９】
（６）
第２実施形態に係る空気調和機３０１では、チタンアパタイトが、樹脂成形体３０７，３４０，３４０ａ，３４０ｂ，３４０ｃ，３４０ｄ，３４４，３４５，３４６，３４８，３６１，３６３，３６６に配合されている。従来、二酸化チタンなどの光半導体触媒はコーティングされることが多かった。しかし、光半導体触媒をコーティングするためには製造工程を増やさざるを得ないため、製造コストがかさむという問題があった。しかし、ここでは、光触媒機能を有するチタンアパタイトが樹脂成形体に配合されている。このため、樹脂成形工程後に製造工程を追加する必要がない。したがって、製造コストをできるだけ低く抑えることができる。
【０１６０】
（７）
第２実施形態に係る空気調和機３０１では、チタンアパタイトが、樹脂成形体３０７，３４０，３４０ａ，３４０ｂ，３４０ｃ，３４０ｄ，３４４，３４５，３４６，３４８，３６１，３６３，３６６に配合されている。従来、二酸化チタンなどの光半導体触媒は、活性時に樹脂を浸食するため、樹脂に配合される場合には特殊なバインダを必要とした。しかし、チタンアパタイトは、菌やウィルスなどに対して二酸化チタンよりも高い分解能力を示すにもかかわらず、活性時に樹脂をほとんど浸食しない。このため、特殊なバインダを必要としない。したがって、低コストで清浄機能を有する樹脂成形体を製造することができる。
【０１６１】
〔変形例〕
（Ａ）
第２実施形態に係る空気調和機３０１では、樹脂成形体３４０，３６６，３４６，３４８，３４４，３６１，３４５，３６３は表面がおおよそ平滑であったが、樹脂成形体３４０，３６６，３４６，３４８，３４４，３６１，３４５，３６３は、粗面加工されていてもよい。このようにすれば、より多くのチタンアパタイトを樹脂成形体３４０，３６６，３４６，３４８，３４４，３６１，３４５，３６３の表面に設けることができる。
【０１６２】
（Ｂ）
第２実施形態に係る空気調和機３０１では、チタンアパタイトが給排気管３０７、加湿給排気ユニット３０４を構成する部材である加湿給排気ユニットケーシング３４０（吸着用空気吹出口３４０ａ、吸着用空気吸込口３４０ｂ、給排気口３４０ｃ、および支持軸３４０ｄを含む。）、天板３６６、吸着用ファン３４６、ロータ駆動ギヤ３４８、ラジアルファン、切換ダンパ３４４、給排気ダクト３６１、吸着側ダクト３４５、吸着側ベルマウス３６３、室内機３０２を構成する部材であるクロスフローファン３１２やケーシングなどの樹脂成形体に配合されていたが、チタンアパタイトがそれらの樹脂成形体にコーティングされていてもよい。なお、この場合、樹脂成形体の表面が粗面加工されていてもよい。このようにすれば、より多くのチタンアパタイトを樹脂成形体３４０，３６６，３４６，３４８，３４４，３６１，３４５，３６３の表面に設けることができる。また、チタンアパタイトと従来の光半導体触媒との混合物などが樹脂成形体３４０，３６６，３４６，３４８，３４４，３６１，３４５，３６３にコーティングされてもよい。
【０１６３】
（Ｃ）
第２実施形態に係る空気調和機３０１では、チタンアパタイトの光触媒機能を活性化するために光源として太陽光や紫外線ランプを採用したが、これに代えてＬＥＤなどを光源として採用してもかまわない。
【０１６４】
（Ｄ）
第２実施形態に係る空気調和機３０１では、チタンアパタイトの光触媒機能を活性化するために光源として太陽光や紫外線ランプを採用したが、これに代えてプラズマ発生器などを採用してもかまわない。プラズマが発生すると、同時に紫外線が生じる、したがって、その紫外線によりチタンアパタイトの光触媒機能を活性化することができる。また、プラズマが発生すると、高速電子、イオン、オゾン、ヒドロキシラジカルなどのラジカル種や、その他の励起分子（励起酸素分子、励起窒素分子、励起水分子）などの活性種が生成するため、さらに効率よく臭気成分や有害ガス、菌、ウィルスなどを分解、無害化することができる。
【０１６５】
（Ｅ）
第２実施形態では、加湿機能を有する空気調和機３０１の樹脂成形体にチタンアパタイトが配合されていたが、酸素富化機能を有する空気調和機の樹脂成形体（例えば、酸素富化空気供給ホース等）にチタンアパタイトが配合されてもかまわない。
【産業上の利用可能性】
【０１６６】
本発明に係る空気調和機は、従来の光半導体触媒を担持した空気調和機よりも高効率に臭気の元となる菌やウィルスなどを分解除去することができ、二次感染防止のためセルフクリーニングが必要な空気清浄機などの用途にも適用できる。
【図面の簡単な説明】
【０１６７】
【図１】第１実施形態に係る空気調和機の外観図。
【図２】第１実施形態に係る空気調和機の冷媒系統図。
【図３】第１実施形態に係る室内機の側面断面図。
【図４】第１実施形態に係る室内機ケーシングの構成の一部を表す斜視図。
【図５】第２実施形態に係る空気調和機の外観図。
【図６】第２実施形態に係る空気調和機の冷媒系統図。
【図７】第２実施形態に係る空気調和機の室外機の分解斜視図。
【図８】二酸化チタンとチタンアパタイトとの光触媒活性の比較図。
【図９】二酸化チタンとチタンアパタイトとの樹脂浸食性の比較図。
【符号の説明】
【０１６８】
１，３０１      空気調和機
２１              クロスフローファン
２４              スクロール（スクロール部）
２９              ドレンパン
２５１              吸込み口
２５２              吹出し口
２５３              フラップ
３０４              加湿給排気ユニット（加湿ユニット）
３０７              給排気管（加湿空気配送路）
【図１】
2005326137.tif 000004
【図２】
2005326137.tif 000005
【図３】
2005326137.tif 000006
【図４】
2005326137.tif 000007
【図５】
2005326137.tif 000008
【図６】
2005326137.tif 000009
【図７】
2005326137.tif 000010
【図８】
2005326137.tif 000011
【図９】
2005326137.tif 000012
【手続補正書】
【提出日】平成17年7月21日(2005.7.21)
【手続補正１】
【補正対象書類名】特許請求の範囲
【補正対象項目名】全文
【補正方法】変更
【補正の内容】
【特許請求の範囲】
【請求項１】
屋内に空気を配送するための樹脂製管状体（３０７）と、
前記樹脂製管状体（３０７）の少なくとも一部に設けられる光触媒機能を有するアパタイトと、
前記樹脂製管状体（３０７）の少なくとも一部に設けられる透明部と、
を備える、空気調和機（３０１）。
【請求項２】
前記空気を加湿する加湿ユニット（３０４）と、
前記屋内に配置される室内ユニット（３０２）と、
をさらに備え、
前記樹脂製管状体は、前記加湿ユニット（３０４）により加湿された前記空気を前記室内ユニットに供給するためのホース、パイプ、またはダクトである、
請求項１に記載の空気調和機（３０１）。
【請求項３】
前記光触媒機能を有するアパタイトは、前記樹脂製管状体（３０７）に配合されている、
請求項１または２に記載の空気調和機（３０１）。
【請求項４】
前記樹脂製管状体（３０７）は、前記光触媒機能を有するアパタイトが設けられる部分が粗面加工されている、
請求項１から３のいずれかに記載の空気調和機（３０１）。
【請求項５】
屋内に空気を配送するための樹脂製管状体であって、
内部に流れる前記空気と接触するように設けられる光触媒機能を有するアパタイトと、
透明部と、
を備える、樹脂製管状体。
【手続補正２】
【補正対象書類名】明細書
【補正対象項目名】全文
【補正方法】変更
【補正の内容】
【発明の詳細な説明】
【技術分野】
【０００１】
本発明は、空気を調和するための空気調和機に関する。
【背景技術】
【０００２】
従来、空気調和機の室内機の空気吸い込み部、エアフィルタ、熱交換器、スクロール、ファン、および空気吹き出し口などの表面に光半導体触媒層を設け、室内機内部で臭気の元となる菌やウィルスなどを分解除去する技術がある（例えば、特許文献１参照）。
【特許文献１】特開平９−１９６３９９号公報
【発明の開示】
【発明が解決しようとする課題】
【０００３】
本発明の課題は、従来よりも高効率に臭気の元となる菌やウィルスなどを分解除去することができる空気調和機を提供することにある。
【課題を解決するための手段】
【０００４】
第１発明に係る空気調和機は、樹脂製管状体、光触媒機能を有するアパタイト、および透明部を備える。なお、ここにいう「空気調和機」には、エアコン、除湿機、加湿機、酸素富化機、全熱交換器、空気ダクトシステム等が含まれる。樹脂製管状体は、屋内に空気を配送するための部材である。また、ここにいう「樹脂製管状体」とは、例えば、加湿空気供給ホース、酸素富化空気供給ホース、全熱交換器の給気管や排気管、および空気ダクトなどである。光触媒機能を有するアパタイトは、樹脂製管状体の少なくとも一部に設けられる。なお、ここにいう「光触媒機能を有するアパタイト」とは、例えば、カルシウムヒドロキシアパタイトの一部のカルシウム原子がイオン交換などの手法によってチタン原子に置換されたアパタイトなどである。また、この光触媒機能を有するアパタイトは、樹脂部に配合されていてもよいし樹脂表面にコーティングされていてもよい。透明部は、樹脂製管状体の少なくとも一部に設けられる。
【０００５】
通常、二酸化チタンなどに代表される光半導体触媒は、菌やウィルスなどを積極的に捕集する能力に劣る。これに対して、この光触媒機能を有するアパタイトは、菌やウィルスなどを強力に吸着することによって、それらの増殖を阻止ないし抑制し得る。そして、このアパタイトに紫外線などの所定の波長領域の光が照射されれば、その菌やウィルスなどが分解除去される。
【０００６】
ここでは、光触媒機能を有するアパタイトが、樹脂部の少なくとも一部に設けられる。このため、この空気調和機では、従来の光半導体触媒を担持した空気調和機よりも高効率に臭気の元となる菌やウィルスなどを分解除去することができる。また、ここでは、透明部が、樹脂製管状体の少なくとも一部に設けられる。このため、この空気調和機では、外光を利用することができる。
【０００７】
第２発明に係る空気調和機は、第１発明に係る空気調和機であって、加湿ユニットおよび室内ユニットをさらに備える。加湿ユニットは、空気を加湿する。室内ユニットは、屋内に配置される。そして、樹脂製管状体は、加湿ユニットにより加湿された空気を室内ユニットに供給するためのホース、パイプ、またはダクトである。
ここでは、樹脂製管状体が、加湿ユニットにより加湿された空気を室内ユニットに供給するためのホース、パイプ、またはダクトである。このため、この空気調和機では、加湿ホースや加湿ダクトなどを清潔に保つことができる。
【０００８】
第３発明に係る空気調和機は、第１発明または第２発明に係る空気調和機であって、光触媒機能を有するアパタイトは、樹脂製管状体に配合されている。
ここでは、光触媒機能を有するアパタイトが、樹脂製管状体に配合されている。このため、樹脂部の製造方法をほとんど変更にすることなく清浄機能を有する樹脂製管状体を製造することができる。また、二酸化チタンなどの光半導体触媒は活性時に樹脂を浸食するため樹脂に配合される場合には特殊なバインダを必要としたが、光触媒機能を有するアパタイトは、菌やウィルスなどに対して二酸化チタンよりも高い分解能力を示すにもかかわらず、活性時に樹脂をほとんど浸食しない。このため、特殊なバインダを必要としない。したがって、より低コストで清浄機能を有する樹脂製管状体を製造することができる。
【０００９】
第４発明に係る空気調和機は、第１発明から第３発明のいずれかに係る空気調和機であって、樹脂製管状体は、光触媒機能を有するアパタイトが設けられる部分が粗面加工されている。
ここでは、樹脂製管状体の光触媒機能を有するアパタイトが設けられる部分が粗面加工されている。このため、樹脂製管状体の表面により多くの光触媒機能を有するアパタイトを設けることができる。したがって、この空気調和機では、さらに高効率に臭気の元となる菌やウィルスなどを分解除去することができる。
【００１０】
第５発明に係る樹脂製管状体は、屋内に空気を配送するための樹脂製管状体であって、光触媒機能を有するアパタイトおよび透明部を備える。なお、ここにいう「樹脂製管状体」とは、例えば、加湿空気供給ホース、酸素富化空気供給ホース、全熱交換器の給気管や排気管、および空気ダクトなどである。なお、この光触媒機能を有するアパタイトは、樹脂製管状体の内部に流れる空気と接触するように設けられる。また、ここにいう「光触媒機能を有するアパタイト」とは、例えば、カルシウムヒドロキシアパタイトの一部のカルシウム原子がイオン交換などの手法によってチタン原子に置換されたアパタイトなどである。また、この光触媒機能を有するアパタイトは、樹脂製管状体そのものに配合されていてもよいし樹脂製管状体の内表面にコーティングされていてもよい。
【００１１】
通常、二酸化チタンなどに代表される光半導体触媒は、菌やウィルスなどを積極的に捕集する能力に劣る。これに対して、この光触媒機能を有するアパタイトは、菌やウィルスなどを強力に吸着することによって、それらの増殖を阻止ないし抑制し得る。そして、このアパタイトに紫外線などの所定の波長領域の光が照射されれば、その菌やウィルスなどが分解除去される。
【００１２】
ここでは、光触媒機能を有するアパタイトが、樹脂製管状体の内部に流れる空気と接触するように設けられる。このため、この樹脂製管状体では、従来の光半導体触媒を担持した樹脂製管状体よりも高効率に臭気の元となる菌やウィルスなどを分解除去することができる。また、ここでは、樹脂製管状体に透明部が設けられている。このため、この樹脂製管状体では、外光を利用することができる。
【発明の効果】
【００１３】
第１発明に係る空気調和機では、従来の光半導体触媒を担持した空気調和機よりも高効率に臭気の元となる菌やウィルスなどを分解除去することができる。また、この空気調和機では、外光を利用することができる。
第２発明に係る空気調和機では、加湿ホースや加湿ダクトなどを清潔に保つことができる。
【００１４】
第３発明に係る空気調和機では、樹脂製管状体の製造方法をほとんど変更にすることなく清浄機能を有する樹脂製管状体を製造することができる。
第４発明に係る空気調和機では、さらに高効率に臭気の元となる菌やウィルスなどを分解除去することができる。
第５発明に係る樹脂製管状体では、従来の光半導体触媒を担持した樹脂製管状体よりも高効率に臭気の元となる菌やウィルスなどを分解除去することができる。また、この樹脂製管状体では、外光を利用することができる。
【発明を実施するための最良の形態】
【００１５】
＜第１実施形態＞
〔空気調和機の全体構成〕
本発明の第１実施形態に係る空気調和機１の外観を図１に示す。
この空気調和機１は、室内の壁面に取り付けられる壁掛け型の室内機２と、室外に設置される室外機３とを備える。
【００１６】
室内機２内には室内熱交換器が収納され、室外機３内には室外熱交換器が収納されており、各熱交換器が冷媒配管４により接続されることにより冷媒回路を構成している。
〔空気調和機の冷媒回路の構成概略〕
空気調和機１の冷媒回路の構成を図２に示す。この冷媒回路は、主として室内熱交換器２０、アキュムレータ３１、圧縮機３２、四路切換弁３３、室外熱交換器３０及び電動膨張弁３４で構成される。
【００１７】
室内機２に設けられている室内熱交換器２０は、接触する空気との間で熱交換を行う。また、室内機２には、室内空気を吸い込んで室内熱交換器２０に通し熱交換が行われた後の空気を室内に排出するためのクロスフローファン２１が設けられている。クロスフローファン２１は、円筒形状に構成され、周面には回転軸方向に羽根が設けられているものであり、回転軸と交わる方向に空気流を生成する。このクロスフローファン２１は、室内機２内に設けられる室内ファンモータ２２によって回転駆動される。室内機２の詳細な構成については後に説明する。
【００１８】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、ファンモータ３９によって回転駆動される。
【００１９】
〔室内機の構成〕
図３に室内機２の側面断面図を示す。
室内機２は、上述したクロスフローファン２１や室内熱交換器２０などと、これらを収容する室内機ケーシング２３ａとを備えている。
クロスフローファン２１は、室内ファンモータ２２によって中心軸周りに回転駆動されることにより、吸込み口２５１から取り込まれ室内熱交換器２０を通り吹出し口２５２から室内へと吹き出す空気流を生成する。クロスフローファン２１は、側面視において室内機２の概ね中央に位置している。
【００２０】
室内熱交換器２０は、クロスフローファン２１の前方、上方および後部上方を取り囲むように取り付けられている。室内熱交換器２０は、クロスフローファン２１の駆動により吸込み口２５１から吸い込まれた空気をクロスフローファン２１側に通過させ、伝熱管の内部を通過する冷媒との間で熱交換を行わせる。室内熱交換器２０は、側面視において概ね逆Ｖ字型の断面形状を有している。なお、この室内熱交換器２０の下部には、ドレンパン２９ａ，２９ｂが設けられている。このドレンパン２９ａ，２９ｂは、冷房時に室内熱交換器２０の表面に生じる露が室内に落下しないように受け止める役目を果たす。
【００２１】
（室内機ケーシング２３ａの構成）
室内機ケーシング２３ａは、主として、スクロール２４、前面グリル２５ａおよびフロントパネル２６ａにより構成されている。
スクロール２４は、室内機２の背面を構成しており、室内熱交換器２０およびクロスフローファン２１の後方を覆っている。
【００２２】
前面グリル２５ａは、室内機２の天面、側面、下面を覆うように形成されており、前面グリル２５ａの前部にはフロントパネル２６ａが取り付けられる（図３および図４参照）。前面グリル２５ａの天面には、複数のスリット状の開口からなる吸込み口２５１が設けられている。吸込み口２５１は、前面グリル２５ａの天面の略全体に亘って設けられている。前面グリル２５ａの下面の前側には、室内機２の長手方向に沿う開口からなる吹出し口２５２が設けられている。また、吹出し口２５２には、室内へと吹出す空気が案内される水平フラップ２５３が設けられている。この水平フラップ２５３は、室内機２の長手方向に平行な軸を中心に回動自在に設けられている。水平フラップ２５３は、フラップモータ（図示せず）によって回動することにより、吹出し口２５２の開閉を行うことができる。
【００２３】
フロントパネル２６ａは、室内機２の前面に配置されている。フロントパネル２６ａは、前面グリル２５ａとは別体として形成されており、前面グリル２５ａの前面を覆うように取り付けられている。フロントパネル２６ａの表側は、水平に設けられた段差によって上下に分かれた２つの面によって構成されているが、各面は概ね平坦に形成されており、凹凸および穴やスリットなどの開口部のない滑らかな表面となっている。また、段差部分は平面的な開口となっており、この開口からも室内の空気が吸い込まれる（図３の白抜き矢印Ａ１参照）。
【００２４】
前面グリル２５ａの前面には、図４に示すように開口２５４が設けられている。前面グリル２５ａの前面とフロントパネル２６ａとの間に各種のフィルタ５０，５１，５２が取り付けられることにより、この開口２５４がフィルタ５０，５１，５２に覆われる。このフィルタ５０，５１，５２には、プレフィルタ５０、空気清浄フィルタ５１および光触媒フィルタ５２がある。
【００２５】
プレフィルタ５０は、塵や埃を通過する空気から除去することができる。プレフィルタ５０は、前面グリル２５ａの前面から天面までを覆うように設けられている。プレフィルタ５０のうち前面グリル２５ａの天面に位置する部分は、天面の吸込み口２５１のすぐ内側に位置している。
空気清浄フィルタ５１は、前面グリル２５ａの前面上部であって、プレフィルタ５０の内側に設けられる。空気清浄フィルタ５１は、プレフィルタ５０よりも細かい埃やタバコの煙、花粉などを通過する空気から除去することができる。
【００２６】
光触媒フィルタ５２は、前面グリル２５ａの前面下部に設けられており、通過する空気から臭気成分や有害ガス、菌、ウィルスなどを除去することが出来る。臭気成分とは、例えば、ホルムアルデヒド、アセトアルデヒド、アンモニア、硫化水素などであり、タバコ、生ゴミ、建築材などから生じる悪臭の原因となる成分である。有害ガスとは、ＮＯｘやＳＯｘなど、車の排気ガスなどに含まれている有害な成分である。光触媒フィルタ５２は、ハニカム構造を有するシート状に形成されており、主としてチタンアパタイトを含有している。なお、このチタンアパタイトとは、カルシウムヒドロキシアパタイトの一部のカルシウム原子がイオン交換などの手法によってチタン原子に置換されたアパタイトである。そして、このチタンアパタイトは、臭気成分や有害ガス、菌、ウィルスなどを特異的に吸着する。さらに、このチタンアパタイトは、光触媒機能を有しており、光によって強力な酸化力を発揮し、臭気成分や有害ガス、菌、ウィルスなどを分解して無害化することができる。
【００２７】
〔空気調和機のセルフクリーニング機能〕
この空気調和機１の室内機２を構成する部材であるクロスフローファン２１、前面グリル２５ａ（吸込み口２５１、吹出し口２５２、スクロール２４、およびドレンパン２９ａ，２９ｂを含む）、フロントパネル２６ａ、およびフラップ２５３は樹脂成形体であり、この樹脂には、チタンアパタイトが配合されている。なお、この樹脂成形体２１，２５ａ，２６ａ，２５３は、表面がおおよそ平滑である。また、そのチタンアパタイトの一部は、樹脂表面に露出している。また、室内熱交換器２０はアルミニウムなどの金属体であるが、その表面にはチタンアパタイトがコーティングされている。
【００２８】
上述したように、このチタンアパタイトは、臭気成分や有害ガス、菌、ウィルスなどを特異的に吸着する。そして、これらのチタンアパタイトは、外光や、室内熱交換器２０とクロスフローファン２１との間に配置される紫外線ランプ６０（図３参照）によって、強力な酸化力を発揮し、臭気成分や有害ガス、菌、ウィルスなどを分解して無害化することができる。なお、吸込み口２５１、吹出し口２５２、およびスクロール２４、フラップ２５３、フロントパネル２６ａの外面に存在するチタンアパタイトは、主に外光によって活性化される。
【００２９】
〔チタンアパタイトの菌およびウィルスに対する性能〕
チタンアパタイトのウィルス、菌、および毒素の不活化率を表１に示す。
【００３０】
【表１】
2005326137.tif 000013
【００３１】
なお、これらの不活化率は、財団法人  日本食品分析センターにおいて、以下に示す方法で測定されている。
１．インフルエンザウィルスの不活化率
（１）試験概要
チタンアパタイトが塗布されているフィルタ（約３０ｍｍ×３０ｍｍ）にインフルエンザウィルス浮遊液を滴下し、室温にて暗条件（遮光）および明条件〔ブラックライト照射下（フィルタとブラックライトとの距離  約２０ｃｍ）〕で保存し、２４時間後のウィルス感染価を測定した。
【００３２】
（２）不活化率の計算
不活化率＝１００×（１−１０B／１０A）
Ａ：接種直後のウィルス感染価
Ｂ：光照射下２４時間後のフィルタのウィルス感染価
（３）試験方法
Ａ．試験ウィルス：インフルエンザウィルスＡ型（Ｈ１Ｎ１）
Ｂ．使用細胞：ＭＤＣＫ（ＮＢＬ−２）細胞  ＡＴＣＣ  ＣＣＬ−３４株〔大日本製薬株式会社〕
Ｃ．使用培地
ａ）細胞増殖培地
Ｅａｇｌｅ  ＭＥＭ（０．０６ｍｇ／ｍｌカナマイシン含有）に新生コウシ血清を１０％加えたものを使用した。
【００３３】
ｂ）細胞維持培地
以下の組成の培地を使用した。
Ｅａｇｌｅ  ＭＥＭ                １，０００ｍＬ
１０％  ＮａＨＣＯ３              ２４〜４４ｍＬ
Ｌ−グルタミン（３０ｇ／Ｌ）          ９．８ｍＬ
１００×ＭＥＭ用ビタミン液              ３０ｍＬ
１０％  アルブミン                      ２０ｍＬ
トリプシン（５ｍｇ／ｍＬ）                ２ｍＬ
Ｄ．ウィルス浮遊液の調製
ａ）細胞の培養
細胞増殖培地を用い、ＭＤＣＫ細胞を組織培養用フラスコ内に単層培養した。
【００３４】
ｂ）ウィルスの接種
単層培養後にフラスコ内から細胞増殖培地を除き、試験ウィルスを接種した。次に、細胞維持培地を加えて３７℃の炭酸ガスインキュベーター（ＣＯ2濃度：５％）内で２〜５日間培養した。
ｃ）ウィルス浮遊液の調製
培養後、倒立位相差顕微鏡を用いて細胞の形態を観察し、８０％以上の細胞に形態変化（細胞変成効果）が起こっていることを確認した。次に培養液を遠心分離（３，０００ｒ／ｍｉｎ、１０分間）し、得られた上澄み液をウィルス浮遊液とした。
【００３５】
Ｅ．試料の調製
フィルタ（約３０ｍｍ×３０ｍｍ）を湿熱滅菌（１２１℃、１５分間）後１時間風乾し、プラスチックシャーレに入れ、ブラックライト（ブラックライトブルー、ＦＬ２０Ｓ  ＢＬ−Ｂ  ２０  Ｗ、２本平行）を１２時間以上照射したものを試料とした。
Ｆ．試験操作
試料にウィルス浮遊液０．２ｍＬを滴下した。室温にて遮光およびブラックライト照射下（フィルタとブラックライトとの距離  約２０ｃｍ）で保存した。また、ポリエチレンフィルムを対照試料として、同様に試験した。
【００３６】
Ｇ．ウィルスの洗い出し
保存２４時間後、試験片中のウィルス浮遊液を細胞維持培地２ｍＬで洗い出した。
Ｈ．ウィルス感染価の測定
細胞増殖培地を用い、ＭＤＣＫ細胞を組織培養用マイクロプレート（９６穴）内で単層培養した後、細胞増殖培地を除き細胞維持培地を０．１ｍＬずつ加えた。次に、洗い出し液およびその希釈液０．１ｍＬを４穴ずつに接種し、３７℃の炭酸ガスインキュベーター（ＣＯ2濃度：５％）内で４〜７日間培養した。培養後、倒立位相差顕微鏡を用いて細胞の形態変化（細胞変成効果）の有無を観察し、Ｒｅｅｄ−Ｍｕｅｎｃｈ法により５０％組織培養感染量（ＴＣＩＤ50）を算出して洗い出し液１ｍＬ当たりのウィルス感染価に換算した。
【００３７】
２．大腸菌（Ｏ−１５７）、黄色ブドウ球菌およびクロカワカビの不活化率
（１）試験概要
抗菌製品技術協議会  試験法「抗菌加工製品の抗菌力評価試験法ＩＩＩ（２００１年度版）光照射フィルム密着法」〔以下「光照射フィルム密着法（抗技協２００１年度版）」という。〕を参考にして、フィルタの抗菌力試験を行った。
【００３８】
なお、試験は以下の通りに実施した。
試料に大腸菌、黄色ブドウ球菌およびクロカワカビの菌液を滴下し、その上に低密度ポリエチレンフィルムをかぶせ、密着させた。これらを室温（２０〜２５℃）、暗条件（遮光）および明条件〔ブラックライト照射下（フィルタとブラックライトとの距離  約２０ｃｍ）〕で保存し、２４時間後の生菌数を測定した。
【００３９】
（２）試験方法
Ａ．試験菌株
細菌：
Escherichia coli IFO 3972（大腸菌）
Staphylococcus aureus subsp. aureus IFO 12732（黄色ブドウ球菌）
カビ：
Cladosporium cladosporioides IFO 6348（クロカワカビ）
Ｂ．試験培地
ＮＡ培地：普通寒天培地〔栄研化学株式会社〕
１／５００ＮＢ培地：肉エキス０．２％を添加した普通ブイヨン〔栄研化学株式会社〕をリン酸緩衝液で５００倍に希釈し、ｐＨを７．０±０．２に調製したもの
ＳＣＤＬＰ培地：ＳＣＤＬＰ培地〔日本製薬株式会社〕
ＳＡ培地：標準寒天培地〔栄研器材株式会社〕
ＰＤＡ培地：ポテトデキストロース寒天培地〔栄研器材株式会社〕
Ｃ．菌液の調製
細菌：
ＮＡ培地で３５℃、１６〜２４時間前培養した試験菌株をＮＡ培地に再度接種して３５℃、１６〜２０時間培養した菌体を１／５００ＮＢ培地に均一に分散させ、１ｍＬ当たりの菌数が２．５×１０5〜１．０×１０6となるように調製した。
【００４０】
カビ：
ＰＤＡ培地で２５℃、７〜１０日間培養した後、胞子（分生子）を０．００５％スルホこはく酸ジオクチルナトリウム溶液に浮遊させ、ガーゼでろ過後、１ｍＬ当たりの胞子数が２．５×１０5〜１．０×１０6となるように調製した。
Ｄ．試料の調製
フィルタ（約５０ｍｍ×５０ｍｍ）を湿熱滅菌（１２１℃、１５分間）後１時間風乾し、プラスチックシャーレに入れ、ブラックライト（ブラックライトブルー、ＦＬ２０Ｓ  ＢＬ−Ｂ  ２０  Ｗ、２本平行）を１２時間以上照射したものを試料とした。
【００４１】
Ｅ．試験操作
試料に菌液０．４ｍＬを滴下し、その上に低密度ポリエチレンフィルム（４０ｍｍ×４０ｍｍ）をかぶせ、密着させた。これらを室温（２０〜２５℃）、遮光およびブラックライト照射下（フィルタとブラックライトとの距離  約２０ｃｍ）で保存した。また、ポリエチレンフィルムを対照試料として、同様に試験した。
【００４２】
Ｆ．生菌数の測定
保存２４時間後にＳＣＤＬＰ培地で試料から生残菌を洗い出し、この洗い出し液の生菌数を、細菌はＳＡ培地（３５℃、２日間培養）、カビはＰＤＡ培地（２５℃、７日間培養）を用いた混釈平板培養法により測定し、試料１個当たりに換算した。また、接種直後の測定は対照試料で行った。
【００４３】
３．エンテロトキシンの不活化率
（１）試験概要
試料にブドウ球菌エンテロトキシンＡ（以下、「ＳＥＴ−Ａ」と略す。）を接種し、室温（２０〜２５℃）、暗条件（遮光）および明条件（紫外線強度約１ｍＷ／ｃｍ2の光照射下）で保存し、２４時間後のＳＥＴ−Ａ濃度を測定し、分解率を算出した。
【００４４】
（２）試験方法
Ａ．標準原液の調製
ＳＥＴ―Ａ標準品〔ＴＯＸＩＮ  ＴＥＣＨＮＯＬＯＧＹ〕を０．５％ウシ血清アルブミン含有１％塩化ナトリウム溶液で溶解し、５μｍ／ｍＬの標準原液を調製した。
Ｂ．検量線用標準溶液
標準原液をＶＩＤＡＸ  Ｓｔａｐｈ  ｅｎｔｅｒｏｔｏｘｉｎ（ＳＥＴ）〔ｂｉｏＭｅｒｉｅｕｘ〕付属の緩衝液で希釈し、０．２、０．５および１ｎｇ／ｍＬの標準溶液を調製した。
【００４５】
Ｃ．試料の調製
フィルタを５０ｍｍ×５０ｍｍの大きさに切断し、約１ｃｍの距離からブラックライトを２４時間照射したものを試料とした。
Ｄ．試験操作
試料をプラスチックシャーレに入れ、ＳＥＴ―Ａ標準原液０．４ｍＬを接種した。これらを室温（２０〜２５℃）、遮光および紫外線強度約１ｍＷ／ｃｍ2の光照射下（ブラックライト、ＦＬ２０Ｓ  ＢＬ−Ｂ  ２０  Ｗ、２本平行）で保存した。
【００４６】
保存２４時間後にＶＩＤＡＸ  Ｓｔａｐｈ  ｅｎｔｅｒｏｔｏｘｉｎ（ＳＥＴ）〔ｂｉｏＭｅｒｉｅｕｘ〕付属の緩衝液１０ｍＬで試料からＳＥＴ−Ａを洗い出し試料溶液とした。
なお、試料を入れないプラスチックシャーレにＳＥＴ−Ａ標準原液０．４ｍＬを接種して直ちにＶＩＤＡＸ  Ｓｔａｐｈ  ｅｎｔｅｒｏｔｏｘｉｎ（ＳＥＴ）〔ｂｉｏＭｅｒｉｅｕｘ〕付属の緩衝液１０ｍＬを加えたものを対照とした。
【００４７】
Ｅ．検量線の作成
検量線用標準溶液について、ＶＩＤＡＸ  Ｓｔａｐｈ  ｅｎｔｅｒｏｔｏｘｉｎ（ＳＥＴ）〔ｂｉｏＭｅｒｉｅｕｘ〕を用いたＥＬＩＳＡ法で測定し、標準溶液の濃度と蛍光強度から検量線を作成した。
Ｆ．ＳＥＴ―Ａ濃度の測定および分解率の算出
試料溶液について、ＶＩＤＡＸ  Ｓｔａｐｈ  ｅｎｔｅｒｏｔｏｘｉｎ（ＳＥＴ）〔ｂｉｏＭｅｒｉｅｕｘ〕を用いたＥＬＩＳＡ法で蛍光強度を測定し、Ｅ．で作成した検量線からＳＥＴ−Ａ濃度を求め、次式により分解率を算出した。
【００４８】
分解率（％）＝（対照の測定値−試料溶液の測定値）／対照の測定値×１００
〔空気調和機の特徴〕
（１）
第１実施形態に係る空気調和機１では、クロスフローファン２１、前面グリル２５ａ（吸込み口２５１、吹出し口２５２、スクロール２４、およびドレンパン２９ａ，２９ｂを含む）、フロントパネル２６ａ、およびフラップ２５３が、チタンアパタイトが配合された樹脂により成形されている。また、そのチタンアパタイトの一部は、樹脂表面に露出している。そして、このチタンアパタイトは、臭気成分や有害ガス、菌、ウィルスなどを特異的に吸着し、外光や紫外線ランプ６０によって臭気成分や有害ガス、菌、ウィルスなどを強力に酸化分解して無害化することができる。このため、この空気調和機１は、従来の吸着能力に劣る二酸化チタンが配合された空気調和機よりも優れたセルフクリーニング性を発揮することができる。
【００４９】
（２）
第１実施形態に係る空気調和機１では、室内熱交換器２０にチタンアパタイトがコーティングされている。そして、このチタンアパタイトは、臭気成分や有害ガス、菌、ウィルスなどを特異的に吸着し、外光や紫外線ランプ６０によって臭気成分や有害ガス、菌、ウィルスなどを強力に酸化分解して無害化することができる。このため、この空気調和機１は、従来の吸着能力に劣る二酸化チタンが配合された空気調和機よりも優れたセルフクリーニング性を発揮することができる。
【００５０】
（３）
第１実施形態に係る空気調和機１では、チタンアパタイトが、樹脂成形体２１１，２５ａ，２６ａ，２５３に配合されている。従来、二酸化チタンなどの光半導体触媒はコーティングされることが多かった。しかし、光半導体触媒をコーティングするためには製造工程を増やさざるを得ないため、製造コストがかさむという問題があった。しかし、ここでは、光触媒機能を有するチタンアパタイトが樹脂成形体に配合されている。このため、樹脂成形工程後に製造工程を追加する必要がない。したがって、製造コストをできるだけ低く抑えることができる。
【００５１】
（４）
第１実施形態に係る空気調和機１では、チタンアパタイトが、樹脂成形体２１１，２５ａ，２６ａ，２５３に配合されている。チタンアパタイトは、図８に示されるように、アセトアルデヒドに対して、従来のアナターゼ型の二酸化チタンよりも優れた分解処理性能を発揮する。なお、図８のグラフにおいて、縦軸は二酸化炭素濃度であり、横軸は時間である。つまり、アセトアルデヒドの分解により生じる二酸化炭素の濃度を測定することにより間接的に分解処理性能を測定していることになる。なお、この測定は、チタンアパタイトの表面積と二酸化チタンの表面積とを一致させて行われている。また、図８のグラフから明らかなように、チタンアパタイトの方が二酸化チタンよりも高い分解処理性能を示す。また、チタンアパタイトは３時間が経過しても一定の反応速度でアセトアルデヒドを分解し続けるのに対し、二酸化チタンは３時間を経過するとその分解能力がほぼ飽和し、両者の分解処理性能の差が著しくなる。このため、この空気調和機１は、菌やウィルスなどに対して、従来のアナターゼ型の二酸化チタンを利用した空気調和機よりも優れた分解処理能力を実現することができる。
【００５２】
また、図９に示されるように、アナターゼ型の二酸化チタンが菌やウィルスだけでなく自身を担持する基材（ウレタン樹脂）をも浸食するのに対し、チタンアパタイトは、基材をほとんど浸食しない。このため、チタンアパタイトは、従来のアナターゼ型の二酸化チタンを有機物に担持する際に使用されていた高価な特殊バインダを使用する必要がない。したがって、このチタンアパタイトを利用すれば、菌やウィルスなどに対して、優れた分解処理能力を提供することができるだけでなく、安価に光触媒機能を有する繊維を製造することができる。
【００５３】
〔変形例〕
（Ａ）
第１実施形態に係る空気調和機１では、樹脂成形体２１，２５ａ，２６ａ，２５３は表面がおおよそ平滑であったが、樹脂成形体２１，２５ａ，２６ａ，２５３は、粗面加工されていてもよい。このようにすれば、より多くのチタンアパタイトを樹脂成形体２１，２５ａ，２６ａ，２５３の表面に設けることができる。
【００５４】
（Ｂ）
第１実施形態に係る空気調和機１では、チタンアパタイトがクロスフローファン２１、前面グリル２５ａ（吸込み口２５１、吹出し口２５２、スクロール２４、およびドレンパン２９ａ，２９ｂを含む）、フロントパネル２６ａ、およびフラップ２５３などの樹脂成形体に配合されていたが、チタンアパタイトがそれらの樹脂成形体にコーティングされていてもよい。なお、この場合、樹脂成形体２１，２５ａ，２６ａ，２５３の表面が粗面加工されていてもよい。このようにすれば、より多くのチタンアパタイトを樹脂成形体２１，２５ａ，２６ａ，２５３の表面に設けることができる。また、チタンアパタイトと従来の光半導体触媒との混合物などが樹脂成形体２１，２５ａ，２６ａ，２５３にコーティングされてもよい。
【００５５】
（Ｃ）
第１実施形態に係る空気調和機１では、チタンアパタイトの光触媒機能を活性化するために光源として紫外線ランプ６０を採用したが、これに代えてＬＥＤなどを光源として採用してもかまわない。ＬＥＤは紫外線ランプ６０よりも安価であるので、製造コストを低減することができる。
【００５６】
（Ｄ）
第１実施形態に係る空気調和機１では、チタンアパタイトの光触媒機能を活性化するために光源として紫外線ランプを採用したが、これに代えてプラズマ発生器（例えば、グロー放電器、バリア放電器、およびストリーマ放電器など）などを採用してもかまわない。プラズマが発生すると、同時に紫外線が生じる、したがって、その紫外線によりチタンアパタイトの光触媒機能を活性化することができる。また、プラズマが発生すると、高速電子、イオン、オゾン、ヒドロキシラジカルなどのラジカル種や、その他の励起分子（励起酸素分子、励起窒素分子、励起水分子）などの活性種が生成するため、さらに効率よく臭気成分や有害ガス、菌、ウィルスなどを分解、無害化することができる。
【００５７】
（Ｅ）
第１実施形態では、クロスフローファン２１、前面グリル２５ａ、フロントパネル２６ａ、およびフラップ２５３にチタンアパタイトが配合されていたが、チタンアパタイトを配合する対象は上記のような空気調和機１の室内機２の構成部品には限られない。例えば、全熱交換器の給気管や排気管、あるいは空気ダクトシステムの空気ダクト等が樹脂から成形されている場合には、これらにチタンアパタイトを配合してもよい。
【００５８】
＜第２実施形態＞
〔空気調和機の全体構成〕
本発明の第２実施形態に係る空気調和機３０１の外観を図５に示す。
この空気調和機３０１は、室内の壁面などに取り付けられる室内機３０２と、室外に設置される室外機３０３とに分かれて構成されている。室外機３０３は、室外熱交換器やプロペラファンなどを収納する室外空調ユニット３０５と加湿給排気ユニット３０４とを備えている。室内機３０２内には室内熱交換器が収納され、室外機３０３内には室外熱交換器が収納されている。そして、各熱交換器およびこれらの熱交換器を接続する冷媒配管３３１，３３２（図６参照）が、冷媒回路を構成している。また、室外機３０３と室内機３０２との間には、加湿給排気ユニット３０４からの室外空気や加湿空気などを室内機３０２側に供給するときや室内の空気を室外に排気するときに用いられる給排気管３０７が設けられている。
【００５９】
〔冷媒回路の構成〕
図６は、空気調和機３０１で用いられる冷媒回路の系統図に空気の流れの概略を付加したものである。
室内機３０２には、室内熱交換器３１１が設けられている。この室内熱交換器３１１は、長さ方向両端で複数回折り返されてなる伝熱管と、伝熱管が挿通される複数のフィンとからなり、接触する空気との間で熱交換を行う。
【００６０】
また、室内機３０２内には、クロスフローファン３１２と、クロスフローファン３１２を回転駆動する室内ファンモータ３１３とが設けられている。クロスフローファン３１２は、円筒形状に構成され、周面には多数の羽根が設けられており、回転軸と交わる方向に空気流を生成する。このクロスフローファン３１２は、室内空気を室内機３０２内に吸い込ませるとともに、室内熱交換器３１１との間で熱交換を行った後の空気を室内に吹き出させる。
【００６１】
室外空調ユニット３０５には、圧縮機３２１と、圧縮機３２１の吐出側に接続される四路切換弁３２２と、圧縮機３２１の吸入側に接続されるアキュムレータ３２３と、四路切換弁３２２に接続された室外熱交換器３２４と、室外熱交換器３２４に接続された電動弁３２５とが設けられている。電動弁３２５は、フィルタ３２６および液閉鎖弁３２７を介して冷媒配管３３２に接続されており、この冷媒配管３３２を介して室内熱交換器３１１の一端と接続される。また、四路切換弁３２２は、ガス閉鎖弁３２８を介して冷媒配管３３１に接続されており、この冷媒配管３３１を介して室内熱交換器３１１の他端と接続されている。これらの冷媒配管３３１，３３２は、図５の冷媒配管３０６に相当する。
【００６２】
また、室外空調ユニット３０５内には、室外熱交換器３２４での熱交換後の空気を外部に排出するためのプロペラファン３２９が設けられている。このプロペラファン３２９は、室外ファンモータ３３０によって回転駆動される。
〔室外機の構成〕
室外機３０３は、図５に示すように下部の室外空調ユニット３０５および上部の加湿給排気ユニット３０４が一体となって構成されている。
【００６３】
まず、図７に基づいて室外空調ユニット３０５の構成について説明する。
（室外空調ユニットに係る構成）
室外空調ユニット３０５は、前面パネル３５１、側板３５２，３５３、保護金網（図示せず）、金属製の底板３５４などのケーシング部材や内部に収容される冷媒回路構成部品などにより構成されている。
【００６４】
前面パネル３５１は、室外空調ユニット３０５の前面を覆う樹脂製の部材であり、室外熱交換器３２４に対して室外熱交換器３２４を通った空気の下流側に配置されている。前面パネル３５１には、複数のスリット状の開口からなる室外空調ユニット吹出口３５１ａが設けられており、室外熱交換器３２４を通った空気は、室外空調ユニット３０５の内部からこの室外空調ユニット吹出口３５１ａを通って室外機３０３の外部へと吹き出す。また、前面パネル３５１の後方には、ファン吹出口部材３５６と仕切板３５７とが取り付けられる。
【００６５】
側板３５２，３５３には右側板３５２および左側板３５３があり、これらは室外空調ユニット３０５の側方を覆う金属製の部材である。ここでは、室外機３０３の正面視において右側に右側板３５２、左側に左側板３５３が設けられている。なお、各側板３５２，３５３は、室外熱交換器３２４を通って室外空調ユニット吹出口３５１ａから吹き出す空気の吹き出し方向に対して概ね平行に設けられている。また、右側板３５２には、液閉鎖弁３２７およびガス閉鎖弁３２８（図６参照）を保護するための閉鎖弁カバー３５５が取り付けられる。
【００６６】
冷媒回路構成部品には、室外熱交換器３２４、圧縮機３２１、アキュムレータ３２３、四路切換弁３２２、電動弁３２５など（図６参照）がある。
室外熱交換器３２４は、平面視において略Ｌ字形状を有し、室外空調ユニット３０５の背面を覆う保護金網の前方に配置される。
室外熱交換器３２４の前方であって、仕切板３５７と左側板３５３との間の通気スペースには、室外ファンモータ３３０とプロペラファン３２９とが設けられている。室外ファンモータ３３０は、プロペラファン３２９を回転させる。プロペラファン３２９は、室外空調ユニット３０５内に取り入れた空気を室外熱交換器３２４と接触させ室外空調ユニット吹出口３５１ａから前面パネル３５１の前方に排気させる。
【００６７】
圧縮機３２１、アキュムレータ３２３、四路切換弁３２２、電動弁３２５などの他の冷媒回路構成部品は、仕切板３５７と右側板３５２との間の機械室に配置されている。
また、室外空調ユニット３０５の上部には、電装品ユニット３５８が取り付けられる。この電装品ユニット３５８は、電装品箱と各部を制御するための回路部品を搭載したプリント基板とにより構成されている。電装品ユニット３５８の上方には防炎板３５９が取り付けられる。
【００６８】
（加湿給排気ユニットに係る構成）
次に加湿給排気ユニット３０４の構成について、主として図７に基づいて説明する。
Ａ．加湿給排気ユニットケーシング
加湿給排気ユニット３０４は、加湿給排気ユニットケーシング３４０を有している。加湿給排気ユニットケーシング３４０は、加湿給排気ユニット３０４の前方、後方および両側方を覆っており、室外空調ユニット３０５の上部に接するように配置される。
【００６９】
加湿給排気ユニットケーシング３４０の前面には、複数のスリット状の開口からなる吸着用空気吹出口３４０ａが設けられており、空気がこの吸着用空気吹出口３４０ａを通って室外機３０３の外部へと吹き出す。
また、加湿給排気ユニットケーシング３４０の背面には、吸着用空気吸込口３４０ｂおよび給排気口３４０ｃが左右方向に並んで設けられている。吸着用空気吸込口３４０ｂは、吸加湿ロータ３４１に水分を吸着させるために室外から取り込まれる空気が通る開口である。給排気口３４０ｃは、室内機３０２へと送られるために取り込まれる空気が通る、または、室内機３０２から取り込まれて室外へと排気される空気が通る開口である。
【００７０】
また、加湿給排気ユニットケーシング３４０の上部は、天板３６６により覆われている。
加湿給排気ユニットケーシング３４０内は、右側が吸加湿ロータ３４１などを収容する空間、左側が吸着用ファン３４６などを収容する吸着用ファン収納空間ＳＰ１となっている。この加湿給排気ユニットケーシング３４０内には、吸加湿ロータ３４１、ヒータ組立体３４２、ラジアルファン組立体３４３、切換ダンパ３４４、吸着側ダクト３４５、吸着用ファン３４６などが配置されている。
【００７１】
Ｂ．吸加湿ロータ
吸加湿ロータ３４１は、概ね円板形状を有するハニカム構造のセラミックロータであり、空気が容易に通過できる構造となっている。吸加湿ロータ３４１は、平面視において円形を有するロータであり、水平面で切った断面において細かいハニカム（蜂の巣）状になっている。そして、これらの断面が多角形である吸加湿ロータ３４１の多数の筒部分を、空気が通過する。
【００７２】
吸加湿ロータ３４１の主たる部分は、ゼオライト、シリカゲル、あるいはアルミナといった吸着剤から焼成されている。このゼオライトなどの吸着剤は、接触する空気中の水分を吸着し、加熱されることによって吸着して含有する水分を離脱する性質を有している。
この吸加湿ロータ３４１は、加湿給排気ユニットケーシング３４０側に設けられた支持軸３４０ｄに、図示しないロータガイドを介して回動可能に支持される。吸加湿ロータ３４１の周面には、ギヤが形成されており、ロータ駆動モータ３４７の駆動軸に取り付けられるロータ駆動ギヤ３４８と歯合している。
【００７３】
Ｃ．ヒータ組立体
ヒータ組立体３４２は、ヒータカバー３４２ａと、その内部に収容されたヒータ本体（図示せず）とにより構成されており、室外から取り込まれて吸加湿ロータ３４１へ送られる空気を加熱する。また、ヒータ組立体３４２は、吸加湿ロータ３４１の上面の略半分（右側の半分）を覆うように配置されている。ヒータ組立体３４２の下面には、空気を吸入するための吸入口と、ヒータ組立体３４２で加熱された空気を吸加湿ロータ３４１側へ排出するための排出口とが形成されている。このヒータ組立体３４２は、ヒータ支持板３４９を介して吸加湿ロータ３４１の上方に取り付けられる。
【００７４】
Ｄ．ラジアルファン組立体
ラジアルファン組立体３４３は、吸加湿ロータ３４１の側方に配置されており、ラジアルファン（図示せず）と、ラジアルファンを回転させるラジアルファンモータ（図示せず）とを有する。また、ラジアルファン組立体３４３は、上蓋（図示せず）を切換ダンパ３４４と共有しており、上蓋は、ラジアルファン組立体３４３の底面を閉じている。上蓋には、空気吹出し口と空気取入れ口とが設けられている。空気吹出し口は、ラジアルファン組立体３４３から切換ダンパ３４４内へと送られる空気が通る開口である。空気取入れ口は、切換ダンパ３４４内からラジアルファン組立体３４３へと送られる空気が通る開口である。ラジアルファン組立体３４３は、給排気口３４０ｃから吸加湿ロータ３４１および切換ダンパ３４４を経て室内へと到る空気の流れを生成して、室外から取り入れた空気を室内機３０２へと送る。また、ラジアルファン組立体３４３は、室内機３０２から取り入れた空気を室外へと排出することもできる。ラジアルファン組立体３４３は、切換ダンパ３４４が切り換わることにより、これらの動作を切り換える。
【００７５】
ラジアルファン組立体３４３は、室外から取り入れた空気を室内機３０２へと送る場合には、吸加湿ロータ３４１を通過して吸加湿ロータ３４１の右側の略半分の部分のうち手前側の部分から降りてきた空気を、切換ダンパ３４４を経て給排気ダクト３６１へと送り出す。給排気ダクト３６１は、給排気管３０７（図５参照）に接続されており、ラジアルファン組立体３４３は、給排気ダクト３６１と給排気管３０７とを介して空気を室内機３０２へと供給する。
【００７６】
ラジアルファン組立体３４３は、室内機３０２から取り入れた室内の空気を室外へと排出する場合には、給排気ダクト３６１から送られてきた空気を加湿給排気ユニットケーシング３４０の背面に設けられた給排気口３４０ｃから室外へと排出する。
Ｅ．切換ダンパ
切換ダンパ３４４は、ラジアルファン組立体３４３の下方に配置される回転式の空気流路切換手段であり、第１状態、第２状態及び第３状態に切り替わる。
【００７７】
第１状態においては、ラジアルファン組立体３４３から吹き出された空気は、給排気ダクト３６１を経て給排気管３０７を通って室内機３０２へと供給されるようになる。これにより、第１状態では、図６の実線矢印Ａ２で示す矢印の向きに空気が流れ、加湿空気あるいは室外空気が給排気管３０７を通って室内機３０２へと供給されるようになる。
第２状態では、図６の破線矢印Ａ３で示す矢印の向きに空気が流れ、室内機３０２から給排気管３０７及び給排気ダクト３６１を通ってきた空気が、ラジアルファン組立体３４３から給排気口３４０ｃを経て室外へと排気される。
【００７８】
第３状態では、切換ダンパ３４４と給排気ダクト３６１とを繋ぐ経路が閉じられ、室外機３０３と室内機３０２との間の空気の流れが遮断される。
Ｆ．吸着側ダクトおよび吸着用ファン
吸着側ダクト３４５は、吸加湿ロータ３４１の上面のうちヒータ組立体３４２が位置しない部分（左側の略半分の部分）を覆っている。この吸着側ダクト３４５は、後述する吸着側ベルマウス３６３とともに、吸加湿ロータ３４１の左半分の部分の上面から以下に説明する吸着用ファン収納空間ＳＰ１の上部へと通じる空気流路を形成する。
【００７９】
吸着用ファン収納空間ＳＰ１に収容される吸着用ファン３４６は、吸着用ファンモータ３６５によって回転する遠心ファンであり、上部に配置される吸着側ベルマウス３６３の開口部３６３ａから空気を吸込むことで、吸着用空気吸込口３４０ｂから吸加湿ロータ３４１を介して、開口部３６３ａへ流れる気流を生成する。そして、吸着用ファン３４６は、吸加湿ロータ３４１を通る際に水分を吸着された乾燥空気を吸着用空気吹出口３４０ａから加湿給排気ユニットケーシング３４０の前方へ向けて排気する。吸着側ベルマウス３６３は、吸着用ファン収納空間ＳＰ１の上部に設けられており、吸着側ダクト３４５によって形成される空気流路を通ってくる空気を吸着用ファン３４６へと導く役割を果たす。
【００８０】
〔空気調和機のセルフクリーニング機能〕
給排気管３０７は樹脂成形体であり、この樹脂には、チタンアパタイトが配合されている。また、そのチタンアパタイトの一部は、樹脂表面に露出している。なお、この給排気管３０７の一部は透明であり、内部に外光が差し込むようになっている。
加湿給排気ユニット３０４を構成する部材である加湿給排気ユニットケーシング３４０（吸着用空気吹出口３４０ａ、吸着用空気吸込口３４０ｂ、給排気口３４０ｃ、および支持軸３４０ｄを含む。）、天板３６６、吸着用ファン３４６、ロータ駆動ギヤ３４８、ラジアルファン、切換ダンパ３４４、給排気ダクト３６１、吸着側ダクト３４５、吸着側ベルマウス３６３は樹脂成形体であり、この樹脂には、チタンアパタイトが配合されている。なお、この樹脂成形体３４０，３６６，３４６，３４８，３４４，３６１，３４５，３６３は、表面がおおよそ平滑である。また、そのチタンアパタイトの一部は、樹脂表面に露出している。また、吸加湿ロータ３４１はセラミック体であるが、その表面にはチタンアパタイトがコーティングされている。また、ヒータカバー３４２ａはアルミニウムなどの金属体であるが、その表面にはチタンアパタイトがコーティングされている。なお、この加湿給排気ユニット３０４には、図示しない紫外線ランプが設けられている。また、この加湿給排気ユニット３０４には、吸着用空気吹出口３４０ａ、吸着用空気吸込口３４０ｂ、および給排気口３４０ｃから、外光が差し込むようになっている。
【００８１】
この空気調和機３０１の室内機３０２を構成する部材であるクロスフローファン３１２やケーシングなどは樹脂成形体であり、この樹脂には、チタンアパタイトが配合されている。また、そのチタンアパタイトの一部は、樹脂表面に露出している。また、室内熱交換器３１１はアルミニウムなどの金属体であるが、その表面にはチタンアパタイトがコーティングされている。なお、この室内機３０２には、紫外線ランプが設けられている。
【００８２】
そして、上記部品に配合またはコーティングされたチタンアパタイトは、臭気成分や有害ガス、菌、ウィルスなどを特異的に吸着する。そして、このチタンアパタイトは、外光や紫外線ランプによって、強力な酸化力を発揮し、臭気成分や有害ガス、菌、ウィルスなどを分解して無害化することができる。
〔加湿給排気ユニットの動作および制御内容〕
本実施形態にかかる空気調和機３０１における空気の流れを説明するために、以下、加湿給排気ユニット３０４の動作を説明する。また、ここでは、加湿運転などの制御内容に関する制御を説明する。
【００８３】
（加湿給排気ユニットの動作）
本実施形態にかかる空気調和機３０１において加湿運転を行うときには、上記の切換ダンパ３４４は第１状態に切り換えられる。以下、加湿運転や給気運転を行う際の加湿給排気ユニット３０４の動作について図６及び図７に基づいて説明する。
加湿給排気ユニット３０４は、吸着用ファン３４６を回転駆動することによって、室外からの空気を吸着用空気吸込口３４０ｂから加湿給排気ユニットケーシング３４０内に取り入れる。加湿給排気ユニットケーシング３４０内に入ってきた空気は、吸加湿ロータ３４１の左側の略半分の部分を通過して、吸着側ダクト３４５および吸着側ベルマウス３６３により形成される空気流路および吸着用ファン３４６を介して、吸着ファン収納空間ＳＰ１から吸着用空気吹出口３４０ａを通って室外機３０３の前方へと排出される（図６の矢印Ａ４及び図７参照）。加湿給排気ユニットケーシング３４０内に室外から取り入れられた空気が吸加湿ロータ３４１の左側の略半分の部分を通過する際に、吸加湿ロータ３４１は、空気中に含まれている水分を吸着する。
【００８４】
この吸着工程で水分を吸着した吸加湿ロータ３４１の左側の略半分の部分は、吸加湿ロータ３４１が回転することによって、吸加湿ロータ３４１の右側の略半分の部分となる。すなわち、吸着された水分は、吸加湿ロータ３４１の回転に伴い、ヒータ組立体３４２の下方に位置する吸加湿ロータ３４１の部分に移動してくる。そして、ここに移動してきた水分は、ヒータ組立体３４２からの熱により、ラジアルファン組立体３４３によって生成される空気流中に離脱していく。
【００８５】
ラジアルファン組立体３４３を駆動すると、給排気口３４０ｃから加湿給排気ユニットケーシング３４０内に室外の空気が取り込まれ、その空気が吸加湿ロータ３４１の右側の略半分の部分のうち奥の部分の下方から上方に向けて通過し、ヒータ組立体３４２の下面の吸入口からヒータ組立体３４２内に導入される。そして、ヒータ組立体３４２内に入った空気は、ヒータ組立体３４２の下面の排出口から排出され、吸加湿ロータ３４１の右側の略半分の部分のうち手前の部分を上方から下方に通過し、切換ダンパ３４４のケーシング側部開口から切換ダンパ３４４の内部を通ってラジアルファン組立体３４３へと至る（図６の矢印Ａ５及び図７参照）。このような空気流は、ラジアルファン組立体３４３が生成するものである。ラジアルファン組立体３４３は、上記のように吸加湿ロータ３４１および切換ダンパ３４４を通り抜けてきた空気を、切換ダンパ３４４、給排気ダクト３６１及び給排気管３０７を介して室内機３０２へと送る。この室内機３０２へと送られる空気は、吸加湿ロータ３４１に吸着されていた水分を含むようになっている。
【００８６】
このようにして加湿給排気ユニット３０４から室内機３０２に供給された空気は、室内熱交換器３１１を経て室内に吹き出される。なお、この空気調和機３０１は、吸着用ファンモータ３６５やヒータ組立体３４２を作動させないことにより、加湿を行わずに室外の空気を取り入れて室内機３０２へと送る給気換気のみを行うこともできる。
（制御部による加湿給排気ユニットの制御）
次に、制御部による加湿給排気ユニット３０４の制御について説明する。制御内容としては、上述した加湿運転時の制御や給気運転、排気運転及び解凍運転に関する制御がある。
【００８７】
Ａ．加湿運転
制御部は、リモコンからの加湿指令を受けた場合やリモコンからの加湿自動運転指令に応じて加湿運転の必要があると判断した場合に、加湿運転を行う。この加湿運転は、暖房運転とともに行われることも多い。加湿運転においては、加湿給排気ユニット３０４内のロータ駆動モータ３４７、ヒータ本体、ラジアルファンモータ、および吸着用ファンモータ３６５が駆動する。この加湿運転では、上述したように、吸着用ファン３４６の回転によって外部から加湿給排気ユニット３０４内に導入した空気中に含まれる水分を吸加湿ロータ３４１に吸着させるとともに、ヒータ本体により加熱された空気をラジアルファンの回転によって吸加湿ロータ３４１に通し、吸加湿ロータ３４１から離脱した水分を含む空気を給排気管３０７を介して室内機３０２へと供給させる。
【００８８】
Ｂ．給気運転及び排気運転
室内の換気を行う必要があると判断した場合に、制御部は、給気運転あるいは排気運転を行う。給気運転は、加湿給排気ユニット３０４に室外空気を取り込ませ、その室外空気を給排気ホース３０７から室内機３０２へと供給させる運転である。排気運転は、加湿給排気ユニット３０４のラジアルファン組立体３４３により給排気ホース３０７内の空気を吸い込ませ、すなわち室内空気を、室内機３０２を介して給排気ホース３０７へと吸い込ませ、それをラジアルファン組立体３４３から室外機３０３の外へと排出させる運転である。給気運転および排気運転における空気の流れは、切換ダンパ３４４の詳細構成と共に上述した第１状態および第２状態の説明にある通りである。給気運転時には、切換ダンパ３４４が第１状態とされ、室外空気が給排気ホース３０７を通って室内機３０２へと給気される。一方、排気運転時には、切換ダンパ３４４が第２状態とされ、室内機３０２から給排気ホース３０７を通ってきた空気が、ラジアルファン組立体３４３の空気吹出し口から切換ダンパ３４４のケーシング側部開口を通って機外へと排気される。なお、これらの給気運転および排気運転においては、加湿給排気ユニット３０４の吸着用ファン３４６やロータ駆動モータ３４７は作動させずに、ラジアルファンだけを回転させる。
【００８９】
また、空調しながら新鮮な室外の空気も取り入れて緩やかに換気を行いたい場合には、給気運転を選択することができる。
なお、空気調和機１の運転停止時には、制御部は、切換ダンパ３４４を、上記の第１状態及び第２状態とは異なる第３状態とする。第３状態では、室内と室外とが連通しない状態となる。
【００９０】
〔空気調和機の特徴〕
（１）
第２実施形態に係る空気調和機３０１では、給排気管３０７が、チタンアパタイトが配合された樹脂により成形されている。また、そのチタンアパタイトの一部は、樹脂表面に露出している。そして、このチタンアパタイトは、臭気成分や有害ガス、菌、ウィルスなどを特異的に吸着し、太陽光や紫外線ランプによって臭気成分や有害ガス、菌、ウィルスなどを強力に酸化分解して無害化することができる。このため、この空気調和機３０１は、従来の吸着能力に劣る二酸化チタンが配合された空気調和機よりも優れたセルフクリーニング性を発揮することができる。
【００９１】
（２）
第２実施形態に係る空気調和機３０１では、加湿給排気ユニット３０４を構成する部材である加湿給排気ユニットケーシング３４０（吸着用空気吹出口３４０ａ、吸着用空気吸込口３４０ｂ、給排気口３４０ｃ、および支持軸３４０ｄを含む。）、天板３６６、吸着用ファン３４６、ロータ駆動ギヤ３４８、ラジアルファン、切換ダンパ３４４、給排気ダクト３６１、吸着側ダクト３４５、吸着側ベルマウス３６３が、チタンアパタイトが配合された樹脂により成形されている。また、そのチタンアパタイトの一部は、樹脂表面に露出している。そして、このチタンアパタイトは、臭気成分や有害ガス、菌、ウィルスなどを特異的に吸着し、太陽光や紫外線ランプによって臭気成分や有害ガス、菌、ウィルスなどを強力に酸化分解して無害化することができる。このため、この空気調和機３０１は、従来の吸着能力に劣る二酸化チタンが配合された空気調和機よりも優れたセルフクリーニング性を発揮することができる。
【００９２】
（３）
第２実施形態に係る空気調和機３０１では、吸加湿ロータ３４１およびヒータカバー３４２ａにチタンアパタイトがコーティングされている。そして、このチタンアパタイトは、臭気成分や有害ガス、菌、ウィルスなどを特異的に吸着し、紫外線ランプ６０によって臭気成分や有害ガス、菌、ウィルスなどを強力に酸化分解して無害化することができる。このため、この空気調和機１は、従来の吸着能力に劣る二酸化チタンが配合された空気調和機よりも優れたセルフクリーニング性を発揮することができる。
【００９３】
（４）
第２実施形態に係る空気調和機３０１では、室内機３０２を構成する部材であるクロスフローファン３１２やケーシングなどが、チタンアパタイトが配合された樹脂により成形されている。また、そのチタンアパタイトの一部は、樹脂表面に露出している。そして、このチタンアパタイトは、臭気成分や有害ガス、菌、ウィルスなどを特異的に吸着し、太陽光や紫外線ランプによって臭気成分や有害ガス、菌、ウィルスなどを強力に酸化分解して無害化することができる。このため、この空気調和機３０１は、従来の吸着能力に劣る二酸化チタンが配合された空気調和機よりも優れたセルフクリーニング性を発揮することができる。
【００９４】
（５）
第２実施形態に係る空気調和機３０１では室内熱交換器３１１にチタンアパタイトがコーティングされている。そして、このチタンアパタイトは、臭気成分や有害ガス、菌、ウィルスなどを特異的に吸着し、紫外線ランプ６０によって臭気成分や有害ガス、菌、ウィルスなどを強力に酸化分解して無害化することができる。このため、この空気調和機１は、従来の吸着能力に劣る二酸化チタンが配合された空気調和機よりも優れたセルフクリーニング性を発揮することができる。
【００９５】
（６）
第２実施形態に係る空気調和機３０１では、チタンアパタイトが、樹脂成形体３０７，３４０，３４０ａ，３４０ｂ，３４０ｃ，３４０ｄ，３４４，３４５，３４６，３４８，３６１，３６３，３６６に配合されている。従来、二酸化チタンなどの光半導体触媒はコーティングされることが多かった。しかし、光半導体触媒をコーティングするためには製造工程を増やさざるを得ないため、製造コストがかさむという問題があった。しかし、ここでは、光触媒機能を有するチタンアパタイトが樹脂成形体に配合されている。このため、樹脂成形工程後に製造工程を追加する必要がない。したがって、製造コストをできるだけ低く抑えることができる。
【００９６】
（７）
第２実施形態に係る空気調和機３０１では、チタンアパタイトが、樹脂成形体３０７，３４０，３４０ａ，３４０ｂ，３４０ｃ，３４０ｄ，３４４，３４５，３４６，３４８，３６１，３６３，３６６に配合されている。従来、二酸化チタンなどの光半導体触媒は、活性時に樹脂を浸食するため、樹脂に配合される場合には特殊なバインダを必要とした。しかし、チタンアパタイトは、菌やウィルスなどに対して二酸化チタンよりも高い分解能力を示すにもかかわらず、活性時に樹脂をほとんど浸食しない。このため、特殊なバインダを必要としない。したがって、低コストで清浄機能を有する樹脂成形体を製造することができる。
【００９７】
〔変形例〕
（Ａ）
第２実施形態に係る空気調和機３０１では、樹脂成形体３４０，３６６，３４６，３４８，３４４，３６１，３４５，３６３は表面がおおよそ平滑であったが、樹脂成形体３４０，３６６，３４６，３４８，３４４，３６１，３４５，３６３は、粗面加工されていてもよい。このようにすれば、より多くのチタンアパタイトを樹脂成形体３４０，３６６，３４６，３４８，３４４，３６１，３４５，３６３の表面に設けることができる。
【００９８】
（Ｂ）
第２実施形態に係る空気調和機３０１では、チタンアパタイトが給排気管３０７、加湿給排気ユニット３０４を構成する部材である加湿給排気ユニットケーシング３４０（吸着用空気吹出口３４０ａ、吸着用空気吸込口３４０ｂ、給排気口３４０ｃ、および支持軸３４０ｄを含む。）、天板３６６、吸着用ファン３４６、ロータ駆動ギヤ３４８、ラジアルファン、切換ダンパ３４４、給排気ダクト３６１、吸着側ダクト３４５、吸着側ベルマウス３６３、室内機３０２を構成する部材であるクロスフローファン３１２やケーシングなどの樹脂成形体に配合されていたが、チタンアパタイトがそれらの樹脂成形体にコーティングされていてもよい。なお、この場合、樹脂成形体の表面が粗面加工されていてもよい。このようにすれば、より多くのチタンアパタイトを樹脂成形体３４０，３６６，３４６，３４８，３４４，３６１，３４５，３６３の表面に設けることができる。また、チタンアパタイトと従来の光半導体触媒との混合物などが樹脂成形体３４０，３６６，３４６，３４８，３４４，３６１，３４５，３６３にコーティングされてもよい。
【００９９】
（Ｃ）
第２実施形態に係る空気調和機３０１では、チタンアパタイトの光触媒機能を活性化するために光源として太陽光や紫外線ランプを採用したが、これに代えてＬＥＤなどを光源として採用してもかまわない。
（Ｄ）
第２実施形態に係る空気調和機３０１では、チタンアパタイトの光触媒機能を活性化するために光源として太陽光や紫外線ランプを採用したが、これに代えてプラズマ発生器などを採用してもかまわない。プラズマが発生すると、同時に紫外線が生じる、したがって、その紫外線によりチタンアパタイトの光触媒機能を活性化することができる。また、プラズマが発生すると、高速電子、イオン、オゾン、ヒドロキシラジカルなどのラジカル種や、その他の励起分子（励起酸素分子、励起窒素分子、励起水分子）などの活性種が生成するため、さらに効率よく臭気成分や有害ガス、菌、ウィルスなどを分解、無害化することができる。
【０１００】
（Ｅ）
第２実施形態では、加湿機能を有する空気調和機３０１の樹脂成形体にチタンアパタイトが配合されていたが、酸素富化機能を有する空気調和機の樹脂成形体（例えば、酸素富化空気供給ホース等）にチタンアパタイトが配合されてもかまわない。
【産業上の利用可能性】
【０１０１】
本発明に係る空気調和機は、従来の光半導体触媒を担持した空気調和機よりも高効率に臭気の元となる菌やウィルスなどを分解除去することができ、二次感染防止のためセルフクリーニングが必要な空気清浄機などの用途にも適用できる。
【図面の簡単な説明】
【０１０２】
【図１】第１実施形態に係る空気調和機の外観図。
【図２】第１実施形態に係る空気調和機の冷媒系統図。
【図３】第１実施形態に係る室内機の側面断面図。
【図４】第１実施形態に係る室内機ケーシングの構成の一部を表す斜視図。
【図５】第２実施形態に係る空気調和機の外観図。
【図６】第２実施形態に係る空気調和機の冷媒系統図。
【図７】第２実施形態に係る空気調和機の室外機の分解斜視図。
【図８】二酸化チタンとチタンアパタイトとの光触媒活性の比較図。
【図９】二酸化チタンとチタンアパタイトとの樹脂浸食性の比較図。
【符号の説明】
【０１０３】
１，３０１      空気調和機
２１              クロスフローファン
２４              スクロール（スクロール部）
２９              ドレンパン
２５１              吸込み口
２５２              吹出し口
２５３              フラップ
３０４              加湿給排気ユニット（加湿ユニット）
３０７              給排気管（加湿空気配送路）